(57)【要約】      （修正有）【課題】薄型、小型で、形状自在性が高く、取り扱いやメンテナンスが容易で、安価な香り発生器を実現することである。更に、香り発生効率を更に高めると共に、人が感じる香りの強度や香りの種類をコンピュータ制御できる香り発生装置を実現するものである。【解決手段】液体香料吸蔵板と当該吸蔵板に接するように設けられたカバー板と当該吸蔵板に液体香料を供給する手段とから構成される板状香り発生器であって、当該吸蔵板は、液体香料を吸収し蓄えるとともに空気を通過させる網状線材または多孔質素材で構成され、当該カバー板は複数の空気穴が設けられるとともに、当該空気穴の大きさ、および、形状は、皮膚が当該カバー板に接した際、前記液体吸蔵板に到達しないように設定されている。さらに、液体香料を加熱する手段、液体香料に超音波を当てる手段、気流を当てて香りを所定の方向に導く手段を組み合わせて用いる。【選択図】          図１
2004159875.tif 000002
【特許請求の範囲】
【請求項１】
液体香料吸蔵板（１００）と、当該液体香料吸蔵板に接するように設けられたカバー板（２００、２０１）と、当該液体香料吸蔵板に液体香料を供給する液体香料供給手段（３００）とから構成される板状香り発生器であって、当該液体香料吸蔵板は、液体香料を吸収し蓄えるとともに空気を通過させる網状線材（１０１、１０２、１０３、１０４）または多孔質素材（１０７）で構成され、当該カバー板は、複数の空気穴（２０２）が設けられるとともに、当該空気穴の大きさ及び形状は、皮膚が当該空気穴に触れた際に、皮膚の変形によって当該空気穴に侵入する当該皮膚が前記液体香料吸蔵板に到達しないように設定されていること、を特徴とする香り発生器
【請求項２】
請求項１において、網状線材で構成された液体香料吸蔵板の当該網目間隔、または多孔質素材で構成された当該孔間隔は、密なる部分と疎なる部分の組み合せで構成されることを特徴とする香り発生器
【請求項３】
請求項１において、網状線材または多孔質素材で構成される液体香料吸蔵板（１０８、１１０、１１１、１１３、１１４、１１５）は、領域が複数に分割され、液体香料供給手段によって所定領域に供給された液体香料は、当該所定領域のみに拡散し蓄積されることを特徴とする香り発生器
【請求項４】
請求項１において、カバー板の空気穴近傍、または、液体香料吸蔵板の通気孔は、撥水性材料（ＲＣ）で構成されている、又は、撥水性材料（ＲＣ）が塗布されていることを特徴とする香り発生器
【請求項５】
請求項１において、カバー板の空気穴（２０２）は、表面から裏面に向かって、即ち、皮膚が接する面から液体香料吸蔵板と接する面に向かって、当該空気穴の径が大きくなるように構成されていることを特徴とする香り発生器
【請求項６】
請求項１において、液体香料供給手段は、液体香料吸蔵板の近傍に設けられた液体香料の入った香料カプセル（３１２、３１８）で構成され、当該香料カプセルを押圧することにより、当該液体香料を前記吸蔵板に供給することを特徴とする香り発生器
【請求項７】
請求項１の香り発生器において、液体香料の供給を制御する手段を加えて構成され、当該手段は、液体香料吸蔵板の液量を検出する手段（ＡＫ、ＣＨ、ＡＣ１〜ＡＣ４）と、当該液量検出値と設定目標値とを比較する手段と、当該両者間の差分値が少なくなるように当該液体香料を供給する手段（３２６、ＥＳ１〜ＥＳ４）とからなる、ことを特徴とする香り発生装置
【請求項８】
請求項１の香り発生器において、液体香料吸蔵板の液体香料を加熱する手段（５０５、Ｈ１〜Ｈ４）、または、当該液体香料に遠赤外線を照射する手段を加えて構成されることを特徴とする香り発生装置
【請求項９】
請求項１の香り発生器において、液体香料吸蔵板の液体香料を超音波によって振動させる手段（５０６、Ｕ１〜Ｕ４）を加えて構成されることを特徴とする香り発生装置
【請求項１０】
請求項１の香り発生器において、カバー板又は液体香料吸蔵板の近傍に気流を当てる手段（５０１、５０２、５１２、５１４、Ｗ１〜Ｗ４）を加えて構成され、液体香料吸蔵板の中または当該吸蔵板の周辺で気化した香りを当該気流によって所定の方向に導出することを特徴とする香り発生装置
【請求項１１】
請求項８において液体香料を加熱する手段、または、遠赤外線を照射する手段、または、請求項９において当該液体香料を超音波によって振動させる手段、または、請求項１０において気流を当てる手段は、間欠的に駆動制御されることを特徴とする香り発生装置
【発明の詳細な説明】
【発明が属する技術分野】
【０００１】
本発明は、薄型、安価、取り扱いが容易で、形状自在性が高く、香り発生効率が高い、香り発生器、および、当該香り発生器を利用して、香りの種類や香りの濃度を制御可能にした、香り発生装置に関するものである。
【従来の技術】
【０００２】
従来の香り発生器、あるいは、香り発生装置は、大きく自然揮発式と強制揮発式とに分けられる。
自然揮発式としては、液体香料の入った瓶にロープを入れ、ロープの先端を瓶から少し出し、ロープに染み込んだ液体香料を空気中で自然に気化させる方式が良く知られている。構造は簡単だが、空気に触れる面積が限られるため、気化量が少なく、強い香りが得られないという問題がある。
また、瓶を倒すと液がロープを伝ってこぼれると言う問題もある。更に、液体香料は１種類に限られ、例えば、複数の香りの中からその日の気分で香料を選んで使うことは困難である。
【０００３】
他の自然揮発式としては、繊維やフェルト布材などに液体香料を染み込ませ、専用のケースに入れて使用するものがある。通常、ユーザは、専用ケースから当該繊維やフェルト布材をピンセットなどで取り出し、スポイトなどで液体香料を染み込ませ、ケースに戻して使用する。
従って、面倒であり、液を扱う際に手が汚れ易い、また、上記ロープ式と同様、気化力が弱いという欠点がある。小形扇風機を組み合わせて気化力を高める方式もあるが、風が効率良く液体香料にあたらないため、強い香りは得にくいという問題がある。
【０００４】
強制揮発式としては、霧吹きの原理を利用したディフューザと呼ばれる香り発生装置が良く知られている。管の一方を液体香料に浸し、管の他方を細くして先端に空気を吹き付ける。液体香料は吹き付けられた空気で管の上端まで上がり、吹き飛ばされて霧状になる。その霧を硝子容器の中で循環させ、大きな液体香料粒子を落下させて排除した後、微粒子を気化させ香りを容器から放出する。
一旦粒子にした後に気化させるので、気化力は高く強い香りが得られるが、霧吹き機構が複雑なため、小型に製造することは難しく、製造コストも高くなりやすい。また、容器が汚れた際には、洗浄が面倒である。
また、液体香料を霧状にして硝子容器内を循環させる際に、当該液体香料は空気に触れて劣化するという問題もある。劣化した液体香料の使用は、特に天然香料において望ましくないため、ランニングコストは高くなる。
また、液体香料溜めには通常１種類の液体香料しか入らないため、香りを組み合わせることは難しい。また、霧吹き量を変化させて、香り濃度を変化させることも構造上難しい。
さらに、空気の吹き付けにはエアーポンプを使用するが、ポンプは振動と音を伴うため、静寂性、環境性にも問題がある。
【０００５】
以上のように、従来の香り発生器または香り発生装置は、簡単な構造のものでは、香り発生効率が悪い、香りの品質が悪いなどの問題があり、複雑な構造のものでは、小型化が難しい、高価である、メンテナンスが難しい、香料の消費量が多い、などの問題がある。
また、共通する問題として、人が感じる香りの強度を制御し難い、複数の香りを組み合わせて複雑な香りを調合できないなどが挙げられる。
【発明が解決しようとする課題】
【０００６】
本発明は、以上の状況に鑑みて発想されたもので、解決しようとする課題は、薄型、小型で、形状自在性が高く、香り発生効率が高く、液体香料の消費量が少なく、取り扱いやメンテナンスが容易で、安価な香り発生器を実現することである。さらに、当該香り発生器を部品として用い、香り発生効率を更に高めると共に、人が感じる香りの強度や香りの種類をコンピュータ制御できる香り発生装置を実現することである。
【課題を解決するための手段と作用】
【０００７】
請求項１の香り発生器に対応する課題解決手段は以下の通りである。
液体香料吸蔵板（１００）と、当該液体香料吸蔵板に接するように設けられたカバー板（２００、２０１）と、当該液体香料吸蔵板に液体香料を供給する液体香料供給手段（３００）とから構成される板状香り発生器であって、
当該液体香料吸蔵板は、液体香料を吸収し蓄えるとともに空気を通過させる網状線材（１０１、１０２、１０３、１０４）または多孔質素材（１０７）で構成され、
当該カバー板は、複数の空気穴（２０２）が設けられるとともに、当該空気穴の大きさ及び形状は、皮膚が当該空気穴に触れた際に、皮膚の変形によって当該空気穴に侵入する当該皮膚が前記液体香料吸蔵板に到達しないように設定されている。
具体的には、当該穴の体積は、前記穴に侵入する当該皮膚の体積より大きくなるように設定されている。
【０００８】
当該発明の作用は、以下の通りである。
網状線材または多孔質素材で構成された前記液体香料吸蔵板の一部に滴下された液体香料は、毛細管現象によって、当該吸蔵板内に吸収され、板面方向に速やかに拡散して、蓄えられる。
また、当該液体香料吸蔵板の網目は密な部分と疎な部分が存在するため、当該液体香料に局部的に加わる力は不均一であり、従って、網目が液体香料で一様に満たされることは少なく、液が溜まる部分、液が溜まらない部分ができる。液の無い部分は、空気が通過する通気孔となる。
カバー板の空気穴は、空気を通過させることができる。当該カバー板の空気穴に皮膚が触れた場合、皮膚は当該空気穴を通過して液体香料吸蔵板に至ることはない。
以上、液体香料吸蔵板と当該カバー板とからなる構成は、液体香料供給手段から供給された香料を一時的に蓄積する容器として作用するとともに、空気を通過させ、気化を促進して香りを発生させる。
【０００９】
上記請求項１に関する本香り発生器において、液体香料吸蔵板は、網状線材にあっては、線材数Ｎが１ｍｍ幅当たり５０本以下の範囲で網状に構成され、多孔質素材にあっては、当該穴数Ｍが１ｍｍ幅当たり５０個以下の範囲に構成され、カバー板の厚さｔは０．５〜２．０ｍｍの範囲であり、かつ、空気穴の表面の径ｄは０．２〜３．０ｍｍの範囲にあり、更に、ｄが１／Ｎまたは１／Ｍより大なる条件を満たしていることが望ましい。
【００１０】
この作用は、以下の通りである。
液体香料吸蔵板（１００）と、当該吸蔵板に接するように、また、カバー板の厚さｔを０．５〜２．０ｍｍにした場合、後述するように本発明の応用であるアクセサリーへの加工性が良くなる。
空気穴の表面の径ｄが０．２ｍｍ以上である場合、香りをカバー板から導出する作用が高まる。ｄを３ｍｍ以下にすることによって、カバーに指が触れた際、指紋の凸部が当該空気穴を付き抜けることが抑制される。
網状線材密度については、Ｎが５０本／ｍｍ以下の場合が、液体香料の吸蔵特性に優れ、かつ、液体香料による目詰まりが少なく、風通しが良い。
ｄ＞１／Ｎにすることによって、気化した香りはカバー板から速やかに外に導出される。
【００１１】
上記請求項１に関する香り発生器において、液体香料吸蔵板（１００）は、複数の網状線材を重ねて多層にした構造であって、当該網目密度が層の中心ほど密になっていることが望ましい。
【００１２】
この作用は、以下の通りである。
液体は、網目密度が細かい方に向って主に拡散する性質がある。従って、網状線材吸蔵板の中心部の網目密度を高くすることによって、液体香料は中心部に向って拡散し、中心部に留まろうとする力（保持力）が強くなる。これは、液漏れを起し難い安全な構造であることを意味する。
【００１３】
請求項２に対応する課題解決手段は、以下の通りである。
請求項１の香り発生器において、網状線材（１０３、１０４）で構成された液体香料吸蔵板の当該網目間隔、または、多孔質素材（１０７）で構成された液体香料吸蔵板の当該孔間隔は、密なる部分と疎なる部分の組み合せで構成することができる。
【００１４】
当該発明の作用は、以下の通りである。
網目間隔を不均一に制御すると、液体香料は網目の密な部分（ＥｓｓＨ）に溜まる性質がある、一方、疎なる部分は液体香料が溜まらなくなり、空気が通過しやすくなる（ＡｉｒＨ）。液体香料の溜まった部分の周りを空気が通過する状態が作られるので、当該香料の気化は促進される。
【００１５】
請求項３に対応する課題解決手段は、以下の通りである。
請求項１の香り発生器において、網状線材または多孔質素材で構成される液体香料吸蔵板（１０８、１１０、１１１、１１３、１１４、１１５）は、領域が複数に分割され、液体香料供給手段によって所定領域に供給された液体香料は、当該所定領域のみに拡散し蓄積される。
【００１６】
当該発明の作用は、以下の通りである。
液体香料は毛細管現象によって吸蔵板内に拡散される。液体香料吸蔵板の領域を仕切ることによって複数に分割すると、当該液体香料は所定領域のみに拡散する。
【００１７】
請求項４に対応する課題解決手段は、以下の通りである。
請求項１の香り発生器において、カバー板の空気穴（２０２）近傍、または、液体香料吸蔵板の通気孔（ＡｉｒＨ）は、フッ素系樹脂等の撥水性材料（ＲＣ）で構成されている、又は、当該撥水性材料（ＲＣ）が塗布、即ちコーティングされている。
【００１８】
カバー板の空気穴（２０２）近傍が撥水性材料で構成されている、または、撥水性材料がコーティングされている本発明の作用は、以下の通りである。
液体香料吸蔵板に蓄えられた液体香料がカバー板の空気穴から漏れ出ようとする場合において、フッ素系樹脂等の撥水性コーティングは、当該空気穴付近の当該液体香料の表面張力を高めるため、当該液体香料を当該液体香料吸蔵板内に保持させようと作用する。即ち、当該液体香料の漏れを防止し、カバー板の液体容器としての機能を高める。
【００１９】
液体香料吸蔵板の通気孔（ＡｉｒＨ）が撥水性材料で構成されている、または、撥水性材料がコーティングされている本発明の作用は、以下の通りである。
撥水性材料がコーティングされた部分は、液体香料が吸蔵されにくいため、通気孔がより確実に形成され、当該液体香料吸蔵板の空気通過特性は極めて良い。特に、網状線材で構成された液体香料吸蔵板では、通気孔を整然と点在させ、その周辺に液体香料を吸蔵させることができる。従って、液体香料が気化しやすい状態を簡単に作ることができる。
【００２０】
請求項５に対応する課題解決手段は、以下の通りである。
請求項１の香り発生器において、カバー板の空気穴（２０２）は、表面から裏面に向かって、即ち、皮膚が接する面から液体香料吸蔵板と接する面に向かって、当該空気穴の径が大きくなるように構成することができる。
【００２１】
当該発明の作用は、以下の通りである。
上記のような空気穴の構成は、カバー板が液体香料吸蔵板と接する際、カバー板の接触面積を小さくする。従って、液体香料が空気に触れる面積を大きくすることができ、当該香料が気化しやすい状態を作る。
また、気化した香り（ガス状香料）は、空気穴の中に充満されやすい。即ち、当該空気穴は、香り溜め空間として機能する。この部分に気流を当てると、濃度の高い当該香りがカバー板の外に導出される。
また、皮膚と接する側の穴の面積が小さい特徴的な構造は、皮膚がカバー板に接触した際、当該穴の中にめり込む皮膚の量を少なくする、即ち、皮膚が液体香料吸蔵板に接触することを回避するように作用する。
【００２２】
請求項６に対応する課題解決手段は、以下の通りである。
請求項１の香り発生器において、液体香料供給手段は、液体香料吸蔵板の近傍に設けられた液体香料の入った香料カプセル（３１２、３１８）で構成され、当該香料カプセルを押圧することにより、当該液体香料を前記吸蔵板に供給する。
【００２３】
当該発明の作用は、以下の通りである。
カプセルに押圧を加えるとカプセルが部分的に破裂し液体香料が飛び出る。カプセルは液体香料吸蔵板の表面または当該板厚内にあるため、当該液体香料は当該液体香料吸蔵板に吸収され、当該板内を拡散して当該板内に蓄積される。
【００２４】
また、請求項１から請求項６の本香り発生器の特徴は、薄い板状に構成できることである。薄く構成することによる作用として、曲げに対する柔軟性が挙げられる。曲げても液体香料が漏れずに、効率良く香りを発生するため、様々な応用が考えられる。
【００２５】
請求項７に対応する課題解決手段は、以下の通りである。
上記香り発生器を用いた香り発生装置であって、液体香料の供給を制御する手段を加えて構成され、当該手段は、液体香料吸蔵板の液量を検出する手段（ＡＫ、ＣＨ、ＡＣ１〜ＡＣ４）と、当該液量検出値と設定目標値とを比較する手段と、当該両者間の差分値が少なくなるように当該液体香料を供給する手段（３２６、ＥＳ１〜ＥＳ４）とから構成される。
【００２６】
当該発明の作用は、以下の通りである。
液体香料吸蔵板の液量を監視し、目標に対して液量が不足している場合には、所定量が自動的に供給される。過蓄積された場合には、液体香料の供給をしばらく停止する。
【００２７】
請求項８に対応する課題解決手段は、以下の通りである。
上記香り発生器を用いた香り発生装置であって、液体香料吸蔵板の液体香料を加熱する手段（５０５、Ｈ１〜Ｈ４）、または、当該液体香料に遠赤外線を照射する手段を加えて構成される。
【００２８】
当該発明の作用は、以下の通りである。
カバー板または液体香料吸蔵板を加熱すると、熱は液体香料に伝わる。
液体香料は、通常、精油原液か、もしくは、精油原液を水、アルコールなどで希釈して使用するが、加熱すると、精油、水、アルコールはそれぞれ気化しやすくなる。
気化した香りは、吸蔵板の通気孔（ＡｉｒＨ）、カバー板の空気穴（２０２）を介して外に導かれる。
本香り発生器の構造は板状で、液体香料を薄く広い面積で吸蔵しているため、カバー板または液体香料吸蔵板が加熱されると、この熱は直ぐに液体香料に伝わる。即ち、熱の伝達効率は極めて良い。
【００２９】
請求項８に関する本発明において、カバー板または液体香料吸蔵板には、発熱性導電体を用い、当該導電体に通電することで、当該カバー板または液体香料吸蔵板を加熱し、これによって、液体香料を加熱しても良い。
【００３０】
当該発明の作用は、以下の通りである。
発熱性導電体を用いて、吸蔵板、または、カバー板を構成し、当該導電体に電流を流すと、当該導電体にはジュール熱が発生し、周辺の液体香料は加熱され気化が促進される。
気化した香りは、吸蔵板の通気孔（ＡｉｒＨ）、カバー板の空気穴（２０２）を介して外に導かれる。
【００３１】
請求項８に関する本発明において、液体香料吸蔵板の液体香料に遠赤外線を照射する手段は、２．５３〜３．０μｍ、または、５．０〜７．０μｍの波長の遠赤外線であることが望ましい。
【００３２】
当該発明の作用は、以下の通りである。
カバー板または液体香料吸蔵板の近傍に、カーボン素材を用いた発熱物体を設け、通電等により発熱させると、カーボン素材からは前記波長を含む強い遠赤外線が放出される。
液体香料は、通常、精油原液か、もしくは、精油原液を水、アルコールなどで希釈して使用するが、遠赤外線のうち、２．５３〜３．０μｍ、５．０〜７．０μｍの波長は、水分子を共振させ共鳴吸収を強度に起こす性質がある。
従って、加熱するとともに、この波長の遠赤外線を照射すると水分子はエネルギーを吸収し、水の気化は促進される。この際、水に解けた香り分子も気化する。特に、６．２７μｍは、水分子と共振しながら水のクラスターをこわして大量のマイナスイオンを発生させる。従って、マイナスイオンが大量に含まれた香りを発生させることができる。
【００３３】
請求項９に対応する課題解決手段は、以下の通りである。
前記香り発生器を用いた香り発生装置であって、液体香料吸蔵板の液体香料を超音波によって振動させる手段（５０６、Ｕ１〜Ｕ４）を加えて構成される。
【００３４】
当該発明の作用は、以下の通りである。
液体香料は、通常、精油、アルコール、水によって構成される。当該液体香料に超音波を当てると、これらの分子は共振周波数近傍において起きる共鳴吸収によって超音波エネルギーを効率良く吸収し、極めて激しく振動する。このため、気化が促進させる。
液体香料吸蔵板には液体香料が吸蔵されているため、この板に向けて超音波を当てると、香りが極めて効率良く発生する。
【００３５】
請求項１０に対応する課題解決手段は、以下の通りである。
前記香り発生器を用いた香り発生装置であって、カバー板又は液体香料吸蔵板の近傍に気流を当てる手段（５０１、５０２、５１２、５１４、Ｗ１〜Ｗ４）を加えて構成され、液体香料吸蔵板の中または当該吸蔵板の周辺で気化した香りを当該気流によって所定の方向に導出する。
【００３６】
当該発明の作用は、以下の通りである。
本香り発生器のカバー板（２００、２０１）には、多数の空気穴（２０２）があり、液体香料吸蔵板には微小通気孔（ＡｉｒＨ）が多く存在する。
従って、当該カバー板に気流を当てると、当該気流は、一方のカバー板（２０１）の空気穴を通過し、液体香料吸蔵板の通気孔（ＡｉｒＨ）を通過し、他方のカバー板（２００）の空気穴（２０２）を通過する。この際、液体香料が気化していれば、当該香りは、前記気流に乗って所定の方向に導出される。
また、カバー板の空気穴は、吸蔵板と接する側が大きな空間を持つため、気流がないとき香りを溜めるように作用する。ここで、カバー板に気流を当てると、当該香り溜め領域にも気流が発生し、当該香りは穴から外に押し出される。このため、空気の入れ替えが起き、気化が促進される。
【００３７】
請求項１１に対応する課題解決手段は、以下の通りである。
請求項８において液体香料を加熱する手段、または、遠赤外線を照射する手段、または、請求項９において当該液体香料を超音波によって振動させる手段、または、請求項１０において気流を当てる手段は、間欠的に駆動制御される。
【００３８】
当該発明の作用は、以下の通りである。
当該請求項１１に示した各手段は、液体香料の気化を促進する手段である。
人の嗅覚は、香りが定常的に供給されると、刺激を感じなくなる性質がある。そこで、当該液体香料の気化を促進する手段を間欠的に駆動すると、人が感じる香り強度に変化がおき、心地よい嗅覚刺激となる。
【００３９】
請求項１１における液体香料の気化を促進する各々の手段は、コンピュータの外部インタフェース端子から供給される電力によって駆動させることができる。
【００４０】
液体香料の気化を促進する手段が前記のように間欠駆動されると、当該消費電力は極めて少なくて済む。従って、コンピュータの外部インタフェース端子から取り出される僅かな電力で前記気化促進手段を駆動することが可能である。これは、当該気化促進手段に商用電力線（１００ボルト線）が不要であることを意味する。
【実施例】
【００４１】
図１は、請求項１、請求項２、請求項４、請求項５に対応する香り発生器の実施例で、当該香り発生器の断面および概観を示している。
【００４２】
同図において、００１は本発明の平板形香り発生器である。１００は液体香料吸蔵板、２００はカバー板（上）、２０１はカバー板（下）、３００は液体香料供給手段であり、これらが本発明の主要な構成部品である。主要部品を示すため、同図には下線を引いてある。４００は本香り発生器から発生される香り、５００は人の肌などの熱源である。
【００４３】
当該液体香料吸蔵板１００は、網状線材を３枚重ねることによって構成されており、各々、Ａ層、Ｂ層、Ｃ層としている。なお、本発明で、吸蔵とは、液体香料を吸収して蓄える意味として用いている。
【００４４】
当該カバー板２００、２０１には多数の空気穴２０２が設けられている。２０３は、カバー板（上）とカバー板（下）を接続するボルトである。カバー板２０１、２０１は、共に厚さが０．５ｍｍ〜２．０ｍｍが望ましい。
【００４５】
図１において、カバー板（上）２００には、液体香料供給口３０２と供給口の蓋３０３が設けられている。蓋を開けて香料を供給する。
【００４６】
液体香料供給手段３００は、液体香料３０１の入った液体香料溜め３０４、当該液体香料３０１を吸い出してノズル３０７に送るポンプ３０５、当該ポンプを動作させる取っ手３０６、および、前記香料供給口３０２から構成されている。
【００４７】
図２は、当該実施例の構成要素である網状線材の液体香料吸蔵板の上面図である。同図において、１０１は前記Ａ層、Ｃ層に対応する網状線材であり、１０２は前記Ｂ層に対応する網状線材である。１０１および１０２は１ｍｍあたり３本から５０本の線材で同図のように格子状に編まれるが、Ｂ層に対応する１０２は、Ａ層、Ｃ層に対応する１０１に比べて線幅が密で目が細かい。３０１は液体香料で網目に吸蔵された状態を示す。
【００４８】
ここで、当該実施例の使用方法および香り発生の原理について説明する。
図１において、液体香料供給手段３００の取っ手３０６を押すと、ポンプ３０５が作動し、適量の液体香料がノズル３０７から香料供給口３０２に供給され、液体香料吸蔵板１００に吸収される。
当該吸収された液体香料は、毛細管現象によって液体香料吸蔵板内を平面状に拡散する。一点鎖線３０８は、当該液体香料吸蔵板内を拡散していく液体香料の拡散パスである。
【００４９】
ここで、液体香料吸蔵板は、前記のように、網状線材Ａ、Ｂ、Ｃ層から構成されるが、Ｂ層の密度が高いので、液体香料はより細い網目のＢ層に溜まろうとする。このように、液体香料はＢ層を中心にＡ層、Ｃ層に吸蔵される。
なお、網状線材は細かければ細かいほど良いと言う訳ではなく、細か過ぎると、拡散速度が遅くなり、上記のような吸蔵が起きない場合がある。図２に示すように、１ｍｍあたり３本から５０本の線材で格子状に編むのが良い。
【００５０】
液体香料は、図１の一点鎖線で示したように、拡散しているときは液体香料吸蔵板の線材周辺を流れる。従って、当該線材の網目は一時的に液体で満たされるが、液体の流れが止むと液体に加わる表面張力は不均一なため、液体香料の溜まりができる。
この様子を図２の３０１に示す。網状格子に液体香料の溜まりができると、当該溜まりの周辺には微小空間ができ、空気が通過する通気孔となる。
【００５１】
ここで、図１に示すように、当該平板形香り発生器００１の近くに、人の肌のような熱源５００があると、当該人の肌の近傍で温められた空気は、二点鎖線のような経路でカバー板（下）２０１の空気穴を通過し、液体香料吸蔵板１００の前記通気孔を通過し、カバー板（上）２００の空気穴２０２を通過して、香り４００となって外に出る。
なお、４００は、液体香料吸蔵板１００の中に蓄積された液体香料が当該吸蔵板を突き抜ける気流によって気化して、香りガスになる様子を示す気流パス（経路）である。
以上が、本発明の香り発生器の基本的な香り発生原理である。
【００５２】
次に、図２で示した網状線材を用いた液体香料吸蔵板において、液体香料を吸蔵する部分と空気が通過する部分（通気孔）をより確実に作る方法について述べる。
【００５３】
図３は、当該実施例の構成要素である網状線材の液体香料吸蔵板に通気孔を作るため撥水性材料を塗布した図である。この説明部分は、請求項４に対応する。
同図（ア）の実線は撥水性材料を塗布してない線材を示し、破線は撥水性材料ＲＣを塗布した線材を示す。
同図（イ）は（ア）に液体香料を多量に吸蔵させたときの様子である。液体香料３０１は実線で示す線材の周辺に吸蔵され、破線で示す撥水性材料が塗布された線材の周辺には存在しない。つまり、実線で示す網状線材部分は、液体香料の吸蔵孔ＥｓｓＨを形成し、破線で示す網状線材部分は通気孔ＡｉｒＨを形成している。
以上のようにして、液体香料吸蔵板の中に吸蔵部分と通気部分を分けて作ることができる。分けることによって、空気の通過特性は大幅に向上する。
【００５４】
図４は、当該実施例の構成要素であるカバー板の拡大図である。
同図では、カバー板の空気穴２０２が拡大して示してあり、当該空気穴の径は、当該カバー板の表面側２０２−１から裏面側２０２−２に向かって大きくなっている。このように、当該カバー板の表面側は空気穴の径が小さく、裏面側は大きい方が望ましい。また、表面側の当該空気穴の径ｄ１は、０．２ｍｍ〜３．０ｍｍ程度が望ましい。この説明部分は、請求項５に対応する。
【００５５】
当該空気穴の特徴的な形状の作用について説明する。
先ず、本香り発生器００１に手が触れた場合について説明する。
図４において、カバー板の空気穴の径は、皮膚が触れる側、即ち、表面２０２−１は小さい。従って、皮膚は、穴の中に大きく入り込むことはない。径ｄ１が０．２ｍｍ〜３．０ｍｍ程度で、カバー板の厚さが０．５ｍｍ〜２．０ｍｍであれば、通常の接触では皮膚は吸蔵板に達することはない。従って、手や皮膚に香料が付着し汚染されることはない。つまり、香料で皮膚を刺激することが少ない構造を実現している。
【００５６】
次に、図４において、裏面２０２−２の穴径が大きくなっている理由について説明する。カバー板の裏面は液体香料吸蔵板１００と接触している。ここで、仮に、カバー板と液体香料吸蔵板との接触面積が大きいと液体香料が空気と触れる面積は少なくなり、気化し難くなるが、本実施例では、カバー板裏面の穴径を大きくしているので、カバー板と液体香料吸蔵板との接触面積は小さく、液体香料が空気と触れる面積が大きくなっている。このため、液体香料の気化は促進される。
【００５７】
以上の作用について、図１のカバー板の断面構造図を用いて更に詳細に説明する。同図のように、カバー板の表面は空気穴の径が小さく、裏面は空気穴の径が大きい。従って、カバー板は液体香料吸蔵板と小さな面で接触している。このように、カバー板２００、２０１と吸蔵板１００との間に大きな空間ができているため、当該空間は気化した香りガスを蓄えることができる。
ここで、当該空間を気流が通過すると、当該蓄えられた香りガスは、空気穴２０２から４００の二点鎖線のように外に導かれる。
【００５８】
本発明では、液体香料吸蔵板に蓄えた液体香料がカバー板の空気穴から容易に漏れることはないが、その理由について説明する。
図１において、液体香料吸蔵板１００は３層構造になっており、内側のＢ層の目が、外側のＡ層、Ｃ層の目よりも細かい。一般に液体は毛細管現象によって、目の細かい方に拡散する力が働くため、液体香料は層の内側に留まろうとする。従って、液は外側には移動しにくく漏れ難い。
【００５９】
更に、カバー板の空気穴からの液漏れをより完璧に防止するためには、図４において、カバー板の空気穴２０２の内部および液体香料吸蔵板１００と接触する側の面を、フッ素系樹脂などの撥水性材料ＲＣでコーティングすることが望ましい。この部分の説明は、請求項４に対応する。
【００６０】
図５は、カバー板の空気孔をより単純な構造にして、当該空気穴の近傍に撥水性材料をコーティングした場合の作用を説明する図である。カバー板と液体香料吸蔵板の断面を示している。
【００６１】
同図において、２０５はカバー板（下）、３０９は液体香料を示す。なお、空気穴は、図１の場合とは異なって、表面から裏面に向かって同じ大きさの場合を示している。
同図（ウ）は、空気穴の周辺にコーティングのない場合、同図（エ）は、空気穴の周辺にフッ素系樹脂などの撥水性材料ＲＣがコーティングされている場合である。２０５の周辺に破線で示した部分がＲＣをコーティングした部分である。
【００６２】
液体香料吸蔵板１００に吸蔵された液体香料が溢れ出ようとした場合、撥水性材料がコーティングされていない（ウ）のケースでは、香料３０９は空気穴の壁を伝って同図のように外に出てしまうことがあるが、撥水性材料ＲＣをコーティングした（エ）のケースでは、空気穴部分の液体の表面張力が高くなるため、同図のように液体香料は半球状になり液体香料吸蔵板内に留まる。
【００６３】
以上のように、本香り発生器００１は、液体香料を薄い板状の液体香料吸蔵板に蓄えると共に、空気の通過を容易にしているため、香り発生効率は極めて高い。
【００６４】
次に、各部品の構成素材について説明する。
網状線材吸蔵板１０１、１０２は、液体香料によって化学変化が起きにくい素材が望ましく、具体的には、アルミニウム、ステンレス、カーボンファイバー、グラスファイバー、金合金、プラチナ合金などが適している。特にカーボンファイバーは、加熱することによって、遠赤外線を放出し、液体香料の気化を促進する作用がある。
また、プラスチック、絹などを用いることも可能である。
【００６５】
カバー板２００、２０１は、液体香料で化学変化を起こさないだけでなく、軽く、変形自在で、美しいものが良い。具体的には、色硝子、カーボン、ステンレス、金合金、銀合金、銅合金などが適している。また、曲げに対する柔軟性のある素材として、プラスチックを用いることもできる。
更に、フッ素系樹脂の薄い板に空気穴を形成してカバー板にしても良い。この場合、空気は通すが、液体は通さない特徴のカバー板が実現できる。
【００６６】
液体香料としては、植物性香料、動物性香料、化学合成香料、および、これらを組み合せた調合香料が、適用可能である。
具体的には、植物性香料として、シトラス系、フルーティ系、グリーン系、フローラル系、ウッディ系、動物性香料として、ムスク系、アンバー系、シベット系、また、合成香料として、アルコール類、アルデヒド類、ケトン類、エステル類、エーテル類、ラクトン類、芳香族類などが適用できる。
【００６７】
図６は、液体香料吸蔵板１００の他の実施例で、図６Ａは、香り発生器００１の断面図、図６Ｂは、網状線材で構成された液体香料吸蔵板１０３、１０４の上面図、図６Ｃは、液体香料吸蔵板の断面拡大図で、図６Ｂの破線部分を紙面に垂直に切断したときの模式図である。図６Ｃにおいて、液体香料吸蔵板１０３（Ａ層）は、網目が比較的粗く、１０４（Ｂ層）は、網目が細かい様子を示している。
【００６８】
図６Ａにおいて、破線で示すＲＣは、カバー板２０１、２０２の空気穴の周辺にコーティングした撥水性材料を示している。全ての空気穴の周辺にコーティングを施すが、同図では、一箇所のみを示している。
また、カバー板２０１、２０２と液体香料吸蔵板１００の間の接合部は、電気溶接して両者を一体化してもよい。接着することにより、香り発生器としての扱いが容易になる。
ＡＫは発光ダイオードなどの発光手段、ＣＨはフォトトランジスタなどの受光手段である。ＡＫとＣＨは組み合わされてフォトカプラを構成している。
【００６９】
図６Ｂにおいて、１０３は、液体香料吸蔵板１００のＡ層、Ｃ層に対応する網状線材、１０４は、Ｂ層に対応する網状線材である。同図のように、１０３、１０４は、各々、網目が密の部分と疎の部分が交互になるように構成されているのが特徴である。ここの説明部分は請求項２に対応する。
また、１０４の網目の密な部分は、１０３の網目の密な部分に比べて、密度がより細かくなっている。
【００７０】
１０３と１０４は、図６Ｃのように重ねられて液体香料吸蔵板を構成するが、網目の密部分の縦と横が交叉する領域ＥｓｓＨは、液体香料を吸蔵するための微小孔の集まり吸蔵孔を構成している。また、網目の疎部分の縦と横が交叉する領域ＡｉｒＨは、空気が通過する通気孔を構成している。
このように液体香料吸蔵板の製造において、線間隔の密の部分と疎の部分を作ることによって、吸蔵部と通気部を作ることができる。
【００７１】
当該液体香料吸蔵板１００（Ａ，Ｂ，Ｃ層）に液体香料を供給すると、香料は当該吸蔵板内を流れるが、流れが止んだ時点で、当該液体香料３０９は、網目の密な領域ＥｓｓＨに集中して蓄えられる。
同状態を図６Ｃの断面拡大図で見ると、香料３０９は、網目の細かい部分に偏在し、その回りには空間が作られていることが分かる。当該空間が通気孔ＡｉｒＨである。
【００７２】
図６Ｃにおいて、気流をカバー板（下）２０１から当てると、当該気流は二点鎖線のように、２０１の空気穴から入り、ＡｉｒＨを通過し、カバー板（上）２００の空気穴２０２から抜ける。この際、香料３０９の一部は気化して前記気流に混入するので、二点鎖線のような経路で香り４００となる。
本実施例では、液体香料が網目の密な領域に偏在し、その周辺を気流が通過するので、液体香料が空気と触れる面積は極めて大きく、気化力は大きい。従って、香りを効率良く発生させることができる。
【００７３】
ところで当然のことながら、液体香料吸蔵板１００は、液体香料の最大吸蔵量が決まっており、これを超えて吸蔵することはできない。仮に、当該最大吸蔵量を超えて液体香料を供給した場合においては、カバー板に撥水性材料がコーティングしてあったとしても当該液体香料は溢れてしまう。
【００７４】
図６Ｃにおいて、発光ダイオードなどの発光手段ＡＫとフォトトランジスタなどの受光手段ＣＨからなるホトカプラは、液体香料吸蔵板に液体香料を限度以上供給しないための監視手段である。ＡＫの光軸が、ＣＨの光軸とずれて構成されているのが特徴である。
【００７５】
同図において、当該液体香料の液量の監視と供給制御は以下のようにして行われる。香料が網目の密な部分を一様に満たしていない場合には、発光手段ＡＫから出た光は直進するため、ＣＨには到達しない。一方、液体香料吸蔵板に蓄えられた液体香料の量が増え、網目の密な部分が一様に満たされてくると、図６ＣにＴＮで示すような光路が発生し、ＡＫの光は受光手段ＣＨに捉えられるようになる。
【００７６】
ここで、ＣＨの受光量を液体吸蔵量に対応させるような比較用データを予め用意しておくものとすると、ＣＨの受光量から当該比較用データを参照して、その時点の吸蔵液量を検出し、設定目標値と比較し、差分があって不足していると判断される場合には、香料の供給を継続することができる。
また、当該受光量が設定目標値となった、あるいは、超えた場合には、液体の供給を止めるように制御することができる。
なお、これらの制御は、図６には示していない制御回路を用いて行う。
以上のように、ＣＨの受光レベルで、吸蔵限界か否かを判断し、吸蔵限界を超える前に液体香料の供給を止めれば、液漏れは防止できる。以上の説明は、請求項７に対応する。
【００７７】
図７は、液体香料吸蔵板の他の実施例で、請求項２に対応する。
網状線材の液体香料吸蔵板の上面図と、当該網状線材吸蔵板を３枚重畳した構成の拡大図を示している。
【００７８】
同図において、１０５、１０６は、チェックパターン構造の網状線材液体香料吸蔵板である。実線の密の部分は多くの線材で構成された部分、疎の部分は線材がない、または、少ない部分を示している。通常は、これらを３枚ないし、５枚程度重ねて使用する。
【００７９】
この際、同図のように、層の中心部に密度の高い液体香料吸蔵板を配置することが望ましい。
線材密度が高い部分は、液体香料を吸蔵するための吸蔵孔ＥｓｓＨが多数形成され、線材密度の少ない疎の部分は、空気が通過しやすい通気孔ＡｉｒＨが形成されている。
また、１０５Ｓ、１０６Ｓは、吸蔵板を重ねる際に、隙間が生じるようにするためのスペーサである。
【００８０】
当該チェックパターン構造の網状線材液体香料吸蔵板は、ステンレスや貴金属の薄板からパターン印刷技術とエッチング技術を用いて製造される。
即ち、パターン印刷技術を用いて線が必要な部分には非溶解塗料を塗布した後、当該金属板を溶解する液に漬け、エッチングによって、当該非溶解塗料が塗られていない不要な部分を溶解して削除する。
更に、最後に前記非溶解塗料を取り除けば、当該構造の液体香料吸蔵板が得られる。
【００８１】
あるいは、金型を用い樹脂やカーボン材を成形して作ることも可能である。
前記エッチング技術や前記成形技術を用いることで、複雑な網目パターンの液体香料吸蔵板を得ることができる。その際の設計は、できるだけ多量の液体香料を吸蔵し、かつ、液体香料と空気の接触面をできるだけ大きくし、気化を促進するように設計することが望ましい。
【００８２】
図８は、多孔質素材の液体香料吸蔵板を用いた平板形香り発生器の実施例で、請求項２、請求項５、請求項７に対応する。
【００８３】
同図において、００２は平板形香り発生器、１０７は、多孔質素材を用いた液体香料吸蔵板、２００はカバー板（上）、２０１はカバー板（下）、３０３は液体供給口に設けた蓋、１０７のＥｓｓＨは多孔質素材である１０７自体が備えている液体を吸蔵するための吸蔵孔、ＡｉｒＨは１０７に設けた空気を通過させるための通気孔である。
香り発生の様子を二点鎖線で示す。一方のカバー板の空気穴から入った空気が、液体香料吸蔵板を通過する際に香料が混じり、他方のカバー板を出る際に香りとなって放出される。
【００８４】
ＡＫは発光ダイオードなどの発光手段、ＣＨはフォトトランジスタなどの受光手段で、両者はフォトカプラを構成している。２２５はＡＫを取り付けるためのセンサ口、ＴＮ１はＡＫの光が入射する部分、ＴＮ２は当該光をＣＨに出射する部分で、ＴＮ１とＴＮ２は光の経路を示す。
【００８５】
図９は当該多孔質素材の液体香料吸蔵板の上面図である。
同図において、３０１は液体香料、３０２は香料供給口、３１０の一点鎖線は多孔質素材吸蔵板内を液体香料が拡散する様子を示す香料の拡散パス例である。
【００８６】
本香り発生器の動作を説明する。図８において、液体香料３０１は、液体供給口の蓋３０３を開けて供給口から供給される。当該液体香料は１０７内を、図９に示すように、面方向に拡散する。拡散中は、ＥｓｓＨ、ＡｉｒＨが液で満たされることもあるが、液が拡散した後において、香料はＥｓｓＨの部分に主に吸蔵され、ＡｉｒＨの部分にはあまり残らない。つまり、ＥｓｓＨに吸蔵された液体香料の周辺は、ＡｉｒＨによって空気が通過する状況が発生する。
【００８７】
ここで、図８において、カバー板２０１に気流を当てると、気流の一部は、空気穴から入り、ＡｉｒＨを通って、カバー板２００の空気穴２０２から出る。この際、ＥｓｓＨに吸蔵された液体香料が当該気流によって気化し、濃度の高い香りとなって２０２から出る。
【００８８】
次に、液体香料吸蔵板の液体香料の吸蔵量を監視する仕組みについて説明する。図８において、１０７に液体香料が吸蔵されていない状態では、ＴＮ１からＴＮ２に至る経路が、同図のように曲がっているため、ＡＫの光は、ＣＨに届かない。
一方、吸蔵板１０７のＥｓｓＨが液体香料によってある程度満たされてくると、ＴＮ１からＴＮ２に至る経路にも当該液体香料が入るため、光路が生じ、ＡＫの光は、ＴＮ１、ＴＮ２を通りＣＨで受光される。
【００８９】
受光レベルで吸蔵されている液体の量が推定できる。また、受光レベルが予め設定している値を超えた場合に、香料の供給を中止するように制御することによって、最大吸蔵量を超えて液体香料が１０７から溢れることはなく、また、当該液体香料が香り発生器から漏れることはない。
【００９０】
図１０は、平板形香り発生器の他の実施例で、カバー板の空気穴を特殊な形状にしたものである。同図において、２０６はカバー板（上）、２０７はカバー板（下）、２０８は、空気穴、１００は液体香料吸蔵板である。本実施例は、請求項５に対応する。
カバー板と液体香料吸蔵板は接合部が電気溶接されている。二点鎖線は香り発生の様子である。
【００９１】
同図には、空気穴２０８の拡大構造を合わせて示している。当該空気穴２０８において、カバー板の表面と裏面の穴の径を比較すると、前図までの例と同様、裏面の方が大きいが、表面から裏面に向かって単調に大きくなっているのではなく、穴の径は、表面から裏面に向かって、一旦小さくなり、途中から再び大きくなって、裏面では最も大きな穴径になっている。
【００９２】
この空気穴の構造は、穴の径を表面から裏面に向かって単調に大きくする場合に比べて、空気の通過量を大きくできるので、香りの発生効率が高い。また、手がカバー板の表面に触れた場合、皮膚は穴が狭くなっている部分より奥に入ることはないため、当該皮膚が吸蔵板に触れて、皮膚が香料によって刺激されると言ったトラブルを回避できる。
【００９３】
図１１は、平板形香り発生器の他の実施例で、カバー板２０９の空気穴を特殊な形状にしたものである。図１１Ａはカバー板２０９の表側面、即ち、手が触れる側の面、図１１Ｂは２０９の裏側面、即ち、液体香料吸蔵板と接触する側の面、図１１Ｃはカバー板と液体香料吸蔵板の断面図である。本実施例は、請求項５に対応する。
【００９４】
同図において、２１０は空気穴、３０３は香料供給口の蓋である。
この実施例の特徴は、カバー板の裏側面２０９−２の空気穴２１０の穴径が、隣接する穴と重なる程度に大きいことである。なお、カバー板の表側面２０９−１の穴径は、図４に示したカバー板２００の表側面の穴径と同様である。
【００９５】
図１１のような構造のカバー板の特徴について説明する。図１１Ｃから分かるように、カバー板２０９と液体香料吸蔵板１００との接触面積が小さいので、気流４０１は二点鎖線のように、１枚のカバー板の空気穴から入り、当該カバー板の他の空気穴から出ることを可能にしている。
また、同図には示していないが、１００の下にもう１枚のカバー板を配置することができ、気流を一方のカバー板の空気穴から入れ、液体香料吸蔵板の通気孔を通し、他方のカバー板の空気穴から取り出すことができるのは当然である。
【００９６】
即ち、本香り発生器では、気流は当該香り発生器の厚さ方向にも、面方向にも通過することができる。このように、多様な気流が通過できる構造を有するため、液体香料吸蔵板で気化した香料ガスを効率良く外に導くことが可能である。
このような構造のカバー板を持つ本香り発生器は、後述する図２４、図２５の香り発生装置に適している。
【００９７】
図１２は、平板形香り発生器の他の実施例で、カバー板２１１の空気穴を特殊な形状にしたものである。図１２Ａはカバー板２１１の表側面、即ち、手が触れる側の面、図１２Ｂは２１１の裏側面、即ち、液体香料吸蔵板と接触する側の面、図１２Ｃはカバー板と液体香料吸蔵板の断面図である。本実施例は、請求項５に対応する。
【００９８】
図１２Ａにおいて２１３は、カバー板の表側面２１１−１に描いたデザイン絵で、山と湖を示している。本香り発生器は、そのままの構成でインテリアや、ファッション用品になるため、カバー板には同図のようなデザインを施して付加価値を高めることができる。
【００９９】
カバー板の空気穴２１２は、表側面から裏側面に向かって、図１２Ｃのように、階段状に穴径が変化してもよい。また、円形の他、三角形、四角形でも良い。
空気穴の大きさは、いずれも、カバー板の表側面２１１−１より、カバー板の裏側面２１１−２の方が大きい。
二点鎖線は、香り発生の様子である。
【０１００】
図１３は、香料カプセル式香り発生器の実施例で、断面概観図を示す。当該実施例は、請求項３および請求項６に対応する。
同図において、００３は香料カプセル式香り発生器である。３１１はカプセル破裂式香料供給手段で、液体香料吸蔵板の周辺に設けられた香料カプセル３１２と、指押し部３１５で構成されることを特徴としている。
１０８は液体香料カプセル３１２を内蔵した液体香料吸蔵板、２１４はカバー板（上）、２１５はカバー板（下）である。指押し部３１５は、２１４の一部として、液体香料カプセル３１２の上部に設けられる。
【０１０１】
香料カプセル３１２は、開口部破裂式で、指３１６等で指押し部３１５を押すと、香料カプセルの所定部分が破れ、液体香料３１３が周囲に飛び出る構造を有する。
当該香料カプセルの開口部は、左右に２つあり、液体香料吸蔵板を構成する層につながっている。香料カプセルが破裂すると、液体香料３１３は、一点鎖線で示すような拡散パス３１７で液体香料吸蔵板１０８の中に吸蔵される。
【０１０２】
液体香料吸蔵板１０８は、同図のように、通気孔ＡｉｒＨを設けた多孔質素材を用いても良いし、あるいは、網状線材を用いても良い。
気流は、カバー板（下）２１５の空気穴から入り、液体香料吸蔵板１０８の通気孔ＡｉｒＨを通過し、カバー板（上）２１４の空気穴２０２から出る。
１０８で気化した香料が当該気流に混じると、二点鎖線のように、香りが得られる。
【０１０３】
図１４は、液体香料吸蔵板１０８の他の実施例で、液体香料吸蔵領域が液体香料仕切り部１０９で４つに分割され、各領域には液体香料カプセルが内蔵されている。
１０８−１、１０８−２、１０８−３、１０８−４は分割された吸蔵領域、３１２−１、３１２−２、３１２−３、３１２−４は、各々種類の異なる液体香料が入った香料カプセルである。
仕切りの方法は、仕切りラインに液を通過しない撥水性物質を埋め込んでも良いし、また、ライン状の空間を設けて、毛細管現象の拡散が当該ラインを超えて進行しないようにしてもよい。
香料カプセルを破裂して香料を拡散させたとき、当該香料は当該仕切り部を超えて隣領域には到達しない構造となっている。
当該液体香料吸蔵板の上下には同図には示していないカバー板が設けられ、当該カバー板の前記香料カプセルに対応する部分には、指押し部が設けられている。
【０１０４】
図１５は、図１４に示した構造の香り発生器を用いて、芳香ペンダントに応用した例である。
図１５Ａは液体香料吸蔵板の上面図、図１５Ｂはカバー板（上）、図１５Ｃは本香り発生器の断面構造図、図１５Ｄは気流発生手段の断面図である。
同図において、００４はペンダント形香り発生器である。引き出し線の矢印は、同図全体を示している。１１０は液体香料吸蔵板、２１６はカバー板（上）、２１７は空気穴、２１９はカバー板（下）、３１８は開口部を１つ持つ開口部破裂式の香料カプセルである。また、５１０は気流発生手段で、５０２は羽根、５０３は扁平モータ、５０４は太陽電池である。
【０１０５】
使用方法と香り発生原理について説明する。
液体香料吸蔵板１１０とカバー板（上）２１６とカバー板（下）２１９は一体化されて、香り発生器を構成している。通常は、鎖穴２１８に鎖をつけ、首からつるして使用する。
カバー板（上）あるいはカバー板（下）を押して、液体香料カプセル３１８を破裂させると、香料３１３は、一点鎖線のように放出される。
当該香料カプセル３１８は、液体香料吸蔵板の中心部に４種類設けられている。破裂によって放出される方向は、同図のように放射線状とする。放出された液体香料は、液体香料吸蔵板の中を拡散し吸蔵される。
【０１０６】
本ペンダントの動作について説明する。
人体の胸元では、身体から発する熱によって、通常僅かに上昇気流が発生している。この気流が図１５Ｃの二点鎖線のように、カバー板（下）２１９の空気穴から入り、液体香料吸蔵板１１０の通気孔を抜け、カバー板（上）２１６の空気穴２１７から出る。
液体香料が気化して香料が当該気流に混じるため、香りが発生する。当該香りは、胸元に沿って上昇し、人の嗅覚器に到達する。
【０１０７】
香りの発生効率を更に高めたい場合には、図１５Ｄに示す気流発生手段５０１をカバー板（下）２１９に取り付けても良い。
扁平モータ５０３が羽根５０２を回し、微風を発生させる。
【０１０８】
ところで、人の嗅覚器には飽和特性があるため、定常的に香り刺激を与えても知覚が鈍ってしまう。従って、間欠的に香り刺激を与える、あるいは、香り濃度に変化を付けて提示することが効果的である。
このことから、前記扁平モータ５０３は常時駆動ではなく、間欠駆動が良い。間欠駆動であれば、消費電力は極めて少なくて済むため、同図のように、電力に太陽電池を用いることが可能である。
太陽電池で得た電力をコンデンサなどに蓄積しておき、間欠的にモータを駆動して羽根を回し、気流を発生させることができる。
【０１０９】
図１６は、図１３に示した構造の香り発生器を芳香ブレスレッドに応用した例である。同図において、００５はブレスレット形香り発生器、１１１は液体香料吸蔵板、２２０はカバー板（上）、２２１はカバー板（下）、３１２は開口部破裂式の香料カプセルである。当該香料カプセルは、同図のように、リング状に複数取り付けられている。
本香り発生器は、薄い板状が特徴であるが、板は変形が容易であり、曲げることも可能なため、同図のようにリング状にするとブレスレッドになる。
【０１１０】
この使用方法は、指３１６でカバー板（上）２２０を押して、香料カプセル３１２を破裂させると、香料が液体香料吸蔵板１１１に拡散し、二点鎖線のように香りが発生する。
【０１１１】
前記のように、複数の芳香カプセルを内蔵することができるが、液体香料吸蔵板に仕切り部を設け、種類の異なる複数の芳香カプセルを内蔵することによって、出先などで気軽に様々な香りを楽しむことができる。使用時に香料カプセルを破裂させるので、香りは新鮮で心地よく、アロマテラピー効果も期待できる。
【０１１２】
また、使用できる香料としては、持続時間が長いミドルノート、ベースノートの香料は当然のこと、持続時間が短く、通常であれば使用し難いトップノートの柑橘系天然香料なども使用できる。
【０１１３】
図１５、図１６ともに、本香り発生器は、特別なケースに入れることなく、それ自体で芳香器として利用できる。カバー板や液体香料吸蔵板に、金やプラチナなどの貴金属を使用して、高級感のある香り付き装飾品とすることもできる。
【０１１４】
また、本香り発生器は、小型で、薄い板状に構成されるため、曲げに対する柔軟性を持たせることができる。特に、構成部品である液体香料吸蔵板、および、カバー板を硝子系素材、カーボン系素材で製造した場合、柔軟性は大きくなる。この特徴を生かすと後述するように様々な形状の香り発生装置を実現できる。
【０１１５】
柔軟性があって、液漏れも少ない本香り発生器は、衣類の中に組み込むこともできる。例えば、洋服の襟、女性用下着のひもやパット部分、ネクタイの裏側、ブレザーの裏ポケットの部分、ソックスの中、スカートのウエスト部分やすその裏地などに差し込むようにして取り付けることができる。
衣類に付けた場合、当該芳香器は体温で温められ、動作により香りが高まり、当該香りは、衣類の繊維の中に付着し、周辺に心地よい香りを撒き散らす。
衣類洗濯時には、当該芳香器を衣類から取り外しても良いし、そのまま洗濯することも可能である。洗濯によって、液体香料吸蔵板の液体香料が取り除かれた場合には、香料供給口からスポイト等を用いて、液体香料を補充することができる。
【０１１６】
図１７は、本香り発生器の形状自在性を生かして、傘形香り発生器にした実施例である。液体香料供給手段としてロープ式香料供給手段を用いている。
同図において、００６は傘形香り発生器、１１２は液体香料吸蔵板、２２２はカバー板（上）、２２３はカバー板（下）、３１９はロープ式香料供給手段、３２０は液体香料溜め、３２１は液吸い上げロープ、３２２は香料供給口、３２３は支持部、３２４は香料の拡散パスである。
【０１１７】
香り発生原理について説明する。
香料溜め３２０の液体香料３０１は、吸い上げロープ３２１の毛細管現象を利用して、香料供給口３２２まで導かれる。当該香料は液体香料吸蔵板内を拡散し、傘面全体に吸蔵される。
液体香料は広い面に吸蔵されるので気化は促進し、空気穴２０２からは高い濃度の香りが放出される。
なお、更に、香りを強くするためには、傘の下にヒータを入れて暖めても良い。カバー板の厚さは、０．５ｍｍ〜２．０ｍｍ程度が安定して使い易い。
【０１１８】
図１８は、本香り発生器の形状自在性を生かして、円筒形にし、芳香瓶のキャップの一部としたもので、芳香瓶そのものが、ペンダント式香り発生器になる応用例である。請求項１から請求項５に対応している。
【０１１９】
同図において、３２０は香料溜め、３２１は香料液体吸い上げロープ、ＮＪは香料溜めの先端ネジ部、ＳＴＰは吸い上げロープを絞めることで香料を止める機構、３２４は、３２０のネジ部に取り付ける芳香キャップである。
当該芳香キャップは、カバー板（外）２２８、液体香料吸蔵板１１６、香料供給口３２２、蓋ＦＴ、鎖フックＫＦで構成される。鎖フックＫＦには鎖ＦＳを付け、首につるして使用する。
【０１２０】
香り発生の原理は以下の通りである。
液体香料３０１が吸い上げロープ３２１で芳香液吸蔵板１１６に供給されている。
カバー板は、空気穴の特殊構造や当該空気穴近傍に塗布した同図には示していない撥水性樹脂などで、空気は通すが、液漏れは防止する構造を有する。また、皮膚や衣類がカバー板に触れても液体香料吸蔵板には触れない程度の穴構造を有する。図１で説明した構造と同様であり、カバー板の空気穴の径は外側が小さく、１１６と接触する側は大きい。
液体香料吸蔵板も図３、図６Ｂ、図７、図８、図９で示したような空気を通過する構造とする。
空気が二点鎖線のように通過することにより、香りが胸元に漂う。
ペンダントを使用しない場合、または、香りが強すぎる場合には、ＳＴＰを絞め香料の供給を止めれば良い。
【０１２１】
カバー板と液体香料吸蔵板は、電気溶接などで一体化させても良い。また、金、プラチナなどの貴金属で製造しても良い。お洒落な香りグッズとなる。
また、ペンダントとしてだけでなく、携帯電話のストラップとしても使用できる。
【０１２２】
図１９は、更に、装飾性を高めたペンダント式芳香器の例で、正面断面図と側面断面図を示している。当該ペンダントは上下分解点で上下に分かれ、２種類の香料を選択して使用できる構造である。
【０１２３】
同図において、２２９はカバー板（外）、１１７は液体香料吸蔵板、３２２は香料供給口である。
カバー板の空気穴２０２は図１２Ｃに示した構造を有する。即ち、カバー板の表面では小さな穴径を持ち、内側で階段状に大きな穴径になり、液体香料吸蔵板に接している。空気穴２０２の近傍には、フッ素樹脂等の撥水性樹脂が塗布されていても良い。
また、２２９と１１７の接合部は電気溶接されている。
【０１２４】
液体香料３０１は、香料溜め３２０から液吸い上げロープ３２１を介して、香料供給口３２２に至る。当該液体香料は、液体香料吸蔵板内を拡散し吸蔵される。ここで、空気は、二点鎖線のように、当該香り発生器の様々な方向から入り出ることができる。胸に下げた場合、胸で暖められた空気は側面断面図に二点鎖線で示す経路で流れる。気化効率が高いので、濃度の高い香りを楽しむことができる。
【０１２５】
香りが強すぎる場合には、ＳＴＰで液体香料の供給を止め調節できる。ＳＴＰの調節は側面断面図に示すようにネジ機構が可能である。
小型な形状でありながら、２種類の香りを切り替えて、あるいは組み合せて使用できる。小型化できる最大の理由は、カバー板と液体香料吸蔵板を主要な構成要素とする本香り発生器がそのままペンダント形状に加工できるためである。
液体香料を使い切った場合は、香料溜めを取りかえれば良い。即ち、本香り発生器は繰り返して使用できる。
【０１２６】
図２０は、本香り発生器を腕時計に組み込んだ実施例である。正面図と側面断面図を示している。
同図において、０１４は、腕時計内蔵の平板形香り発生器、２３０はカバー板（外）、１１８は液体香料吸蔵板である。
【０１２７】
正面図において、カバー板２３０には空気穴２０２を示しており、香りはここから放出される。
側面断面図において、カバー板２３０に接するように液体香料吸蔵板１１８が設けられ、当該液体香料吸蔵板は、液吸い上げロープ３２１を介して香料溜め３２０に接続されている。また、液吸い上げロープの途中には香料止め機構ＳＴＰが設けられ、液の供給を調整できる。当該調節は、正面図に示すように、腕時計の側面、時間合わせつまみの上下の位置に設けることができる。
香料溜め３２０は、液体香料３０１が消耗した際などに、時計の裏蓋ＦＵＴＡを開けて取り替えることができる。
また、ＦＵＴＡは空気を通過する構造とする。空気は二点鎖線のように通過する。
【０１２８】
更に、当該時計の内部にモータ５０３と羽根５０２からなる液体香料気化促進手段を設けることもできる。当該モータは、時計ムーブメントを駆動する電池ＢＴを兼用して、回転させることができる。
【０１２９】
この気化促進手段は、タイマーと連動して利用することができる。即ち、予め定めた時間になると、モータが回転し、強い香りが放出される。ユーザは、モータの振動と、香りにより、当該時刻を知ることができる。
【０１３０】
図２１は、前記説明した香り発生器を用いて、香りの濃度（人が感じる香りの強度）を制御できるようにした卓上形の香り発生装置の実施例である。請求項７から請求項１１に対応している。
【０１３１】
同図において、００７は平板形香り発生器、２２５は液体香料吸蔵板１００に設けられたセンサ取り付け口、３２５は液溜め、３２６はポンプ、３２７はパイプ、５０５はヒータ、５０６は超音波振動子、５０７はフード、５０８は湿度センサ、５０９は制御回路である。
ここで、平板形香り発生器００７には中央に太い実線で示す液体香料仕切り部があり、２種類の液体香料を吸蔵できる。
なお、当該香り発生器は、同図のように概ね左右対称なので、記号説明の番号は片側にのみに付与している。
【０１３２】
また、図２２は当該香り発生装置の断面構造図、図２３は液体香料ポンプの拡大図である。同図において、３２８はポンプの香料取り込み口、３２９は下栓、３３０は上栓、３３１はスプリング、３３２はピストン、３３３は駆動磁性体、３３４は電磁石、５１０はＵＳＢ端子である。
【０１３３】
当該香り発生装置の使用方法、および、動作について説明する。
当該香り発生装置では、前記香り発生器を装着部品として使用する。
装着方法については、図２１において、平板形香り発生器００７は、本装置のヒータ５０５の上に置くようにして装着する。
次に、液体香料３０１が香料供給口３０２に滴下するように、図２１の中の拡大図に示す滴下機構をセットする。
当該滴下機構はパイプ３２７の上部に設けられているので、図２１に示すように、パイプの先端を矢印のように回転することによって、滴下部が香料供給口３０２の上に来るようにセットできる。ここで、滴下機構拡大図に示すＡＦＮは香料が一滴づつ滴下するように速度を調整する微細網目素材である。
当該滴下機構をセットした後、フード５０７を被せて、香り発生装置の準備が整う。
【０１３４】
次に、香りの種類切り替え制御方法、および、香りの濃度制御方法について説明する。
図２１、図２２において、液体香料は、予め、左右の香料溜め３２５に入っており、必要な量が、ポンプ３２６、パイプ３２７、および、滴下機構により、香り発生器００７に供給される。
液体香料供給手段は、同図のように左右に２個あり、左右の当該供給手段に種類の異なる液体香料を入れて置くことができる。
【０１３５】
例えば、一方の容器には、リフレッシュ作用のあるレモン系香料、他方の容器には、リラックス作用のあるラベンダー系香料を入れておくことができる。この組み合せでは、朝にあっては、レモン系の香りを主に発生させ、やる気を起こさせ、昼にあっては、両者を調合して仕事の疲れを癒し、就寝時にあっては、ラベンダー系を主に発生させ、安眠を誘発する等の効果を得ることができる。
【０１３６】
更に、レモンの代わりにベルガモットを用いても同様な効果が期待できる。ベルガモットとラベンダーを調合するとやる気が高まるオーデコロン効果も期待できる。
【０１３７】
図２１の平板形香り発生器００７の液体香料吸蔵板１１３には、前記のように、真中に香料仕切り部があるものを用いる。右側の香料供給口３０２から入った液体香料は、１１３の中を拡散するが、真中の太い実線で示す仕切り部で止まる。即ち、１１３の右側に吸蔵される。
左側の香料供給口から入った液体香料は、同様に１１３の左側に吸蔵される。このように、液体香料吸蔵板１１３は左右に分けて使用することができる。
【０１３８】
ポンプ３２６には駆動機構がついており、動作は制御回路５０９で行なう。当該制御回路で、液体香料吸蔵板に供給する液体香料の量を制御することができる。２種類の液体香料を吸蔵できる当該吸蔵板１１３の片方に、より多くの液体香料を供給すれば、その香りの濃度は強くなる。従って、香りの濃度や香りの組み合せは、当該液体香料供給量で制御することができる。
【０１３９】
また、液体香料が液体香料吸蔵板にどの程度吸蔵されているのか、吸蔵限度に近づいたか否かについての確認は、発光素子ＡＫと受光素子ＣＨからなるフォトカプラを用いて可能である。
図２１において、ＡＫは、カバー板（上）２００のセンサ口２２５に収まるように構成され、ＣＨは、カバー板（下）２０１のセンサ口に収まるように構成されている。
センサ口２２５の中が、液体香料で満たされると、ＡＫの光がＣＨに到達し、液体香料吸蔵板１１３に液が満たされたことが分かる。所定量が供給されたところで、供給を止めれば吸蔵限度を超えることは防止できる。
また、液体香料吸蔵板の液体香料が気化し、当該吸蔵板の中が乾いて来た場合には、光が通過し難くなるので、再び、供給を再開すれば良い。
これらのセンサ信号の処理、および、供給ポンプの制御は、５０９の制御回路で処理される。
【０１４０】
また、平板形香り発生器００７は、前記のように、ヒータ５０５、超音波振動子５０６からなる液体香料気化促進手段の上に置かれている。５０５、５０６は、５０９によって駆動制御される。
【０１４１】
ここで、液体香料気化促進手段としての当該ヒータの作用について説明する。
ヒータ５０５は、通電発熱線材を網状にして構成され、空気の自由な通過が可能とする。
ヒータ素材としては、発熱した際に、波長２．５３〜３．０μｍ、または、５．０〜７．０μｍの遠赤外線を放出すカーボン系素材が適している。
【０１４２】
ヒータ５０５から出た熱は、カバー板２０１を温め、更に、液体香料吸蔵板１１３を温める。液体は一般に温められると分子活動が活発になり気化しやすくなる。従って、１１３に吸蔵された液体香料も気化が促進される。
【０１４３】
また、ヒータから波長２．５３〜３．０μｍ、または、５．０〜７．０μｍの遠赤外線が放出されると、当該波長の光エネルギーは、液体香料吸蔵板１１３の中の液体香料に効率良く吸収される。これは、液体香料の中の水分子が当該光の波長で共振し、共鳴吸収を強く起こすためである。従って、水は、少ないエネルギーで効率良く気化する。
特に、６．２７μｍの波長は、水分子と共振しながら水のクラスターをこわして大量のマイナスイオンを発生させる。従って、マイナスイオンが大量に含まれた水蒸気を発生させることができる。
水が気化すると、水に溶けている香料分子も水蒸気に混じって気化する。
なお、前記ヒータは、香り発生器の一部の範囲のみが温まるように、領域を選択して駆動してもよい。
【０１４４】
次に、液体香料気化促進手段としての超音波振動子について説明する。
超音波振動子５０６を駆動すると、当該振動は、カバー板２０１、または、液体香料吸蔵板１１３を介して液体香料に伝わる。液体香料は当該液体香料吸蔵板中で小さな液玉となっているため、この液玉に超音波が照射されると、液玉は激しく振動し気化する。
なお、超音波が、当該香り発生器の一部の範囲のみに照射されるように、複数の超音波振動子を選択的に駆動してもよい。
【０１４５】
前記のように、ヒータの領域、または、超音波振動子を選択的に駆動することよって、液体香料吸蔵板に吸蔵されている液体香料の気化速度を領域によって変えることができる。
領域毎に液体香料の種類を変えておくと、当該香料の気化速度の差によって、様々な濃度組み合せの香りを作ることができる。
【０１４６】
次に、液体香料気化促進手段としての気流発生手段について説明する。
図２１、図２２には、ヒータ５０５の下に、モータ５０３と羽根５０２からなる気流発生手段が設けられている。モータは制御回路５０９で回転速度や駆動時間が制御される。間欠的に駆動することや、音楽等と同期させて、速度に変化を持たせて駆動することができる。
【０１４７】
羽根５０２によって発生した気流は、ヒータ５０５を通過するとき、暖かい気流となり、カバー板に当たる。
カバー板（下）２０１に当たった気流は、当該カバー板の空気穴から入り、液体香料吸蔵板１１３の通気孔を通過し、カバー板（上）２００の空気穴から出る。液体香料吸蔵板中の液体香料の近傍を温かい気流が通過するので、気化は促進される。液体香料の気化によって生じた香りは、カバー板の空気穴２０２からフード５０７の中に放出される。
【０１４８】
更に、当該香りは、二点鎖線４００で示すように、当該フードで放出方向が制御される。
ここで、フード５０７の中には、同図のように、香りが通過する部分に湿度センサ５０８を設けても良い。
平板形香り発生器００７から出る香りは、液体香料が気化したものなので、多くの水分を含んでいる。つまり、湿度は香りの濃度と相関をもっている。そこで、当該湿度センサで、フード内の湿度を計測することで、香りの濃度、あるいは、液体香料の気化量、あるいは、吸蔵板内の液体香料の残量を推定することができる。湿度センサの結果から液体香料吸蔵板１１３に供給すべき液体香料の量を判断し、ポンプ３２６でその供給量を制御してもよい。
【０１４９】
図２２において、制御回路５０９は、外部インタフェース端子であるＵＳＢ端子５１０に接続されており、駆動電力と制御信号は当該ＵＳＢ端子から供給される。
通常、コンピュータの外部インタフェース端子から抽出できる電力は僅かであるが、本発明では、液体香料の気化を促進する前記手段の消費電力を、当該手段を間欠駆動することによって、極めて少なくしているため、実現が可能である。
ＵＳＢ端子から得られる電流を大容量コンデンサ等に蓄積し、電圧変換してマイコンを駆動し、所定のタイミングで短時間、液体香料の気化を促進する前記手段を駆動すれば良い。
【０１５０】
ここで、間欠駆動が望ましい理由は以下の通りである。
人の嗅覚は、香りが定常的に供給されると、刺激を感じなくなる性質がある。そこで、液体香料の気化を促進する手段を間欠的に駆動すると、部屋の香り濃度に変化がおき、心地よい嗅覚刺激となる。
【０１５１】
図２３は、液体香料を供給するポンプの断面図である。動作を説明する。
通常、ピストン３３２はスプリング３３１によって上方に押され、スプリング付近には液体香料が満たされ、下栓は閉まっている。
ここで、電磁石３３４に通電すると、駆動磁性体３３３が紙面の下方向に駆動され、ピストン３３２は押し下げられる。ここで、スプリング３３１付近に溜まっている液体香料は、紙面の上方向に押し出され、上栓３３０の下部を通り、ピストン内の管を上方向に進む。このようにして、ピストンを１回押した量の液体香料がピストン内の管からパイプ３２７に供給される。
次に電磁石の通電を切ると、スプリング３３１によって、ピストン３３２は上方に戻される。このとき、下栓３２９は開き、液体香料はポンプ内に取り込まれる。
【０１５２】
図２４は、香り発生装置の他の実施例で、香りの種類の切り替えを容易にしたものである。
００８は平板形香り発生器、１１４は４種類の液体香料を吸蔵できる液体香料吸蔵板である。３３５は複数香料溜めで、４種類の液体香料Ｅ１，Ｅ２，Ｅ３，Ｅ４が入っている。３３６は香料選択装置で、当該４種類の液体香料の中から１種類を選択してポンプ３２６に送る。当該ポンプはパイプ３２７に液体香料を流す。
パイプ内を通過した液体香料は先端の滴下機構によって１滴ずつ、香料供給口３０２を介して、液体香料吸蔵板１１４に供給される。当該吸蔵板は４分割されており、各分割領域には対応する４種類の所定の液体香料が吸蔵される。
従って、当該平板形香り発生器００８には、４つの香料供給口３０２と４つのセンサ口がある。センサ口２２５は、当該領域の液体香料の量を監視するためのものであるが、原理は前に示したので省略する。
【０１５３】
４種類の液体香料を液体香料吸蔵板１１４の４つの分割領域に吸蔵する方法について述べる。
平板形香り発生器００８は、液体香料気化促進装置（下部）５１１−１の上に置かれ、中心点ＣＥＮで回転可能とする。
３３７は棒状で当該先端が楕円運動する圧電モータである。当該圧電モータの先端は、当該香り発生器００８の外周に接触している。当該圧電モータを駆動すると、先端は円形の当該香り発生器の外周縁をつき押すように楕円運動するため、当該香り発生器はＣＥＮを中心にして回転する。
【０１５４】
圧電モータ３３７の駆動と香料選択装置３３６の駆動を連動することによって、所定香料を液体香料吸蔵板１１４の所定領域に吸蔵させることができる。
即ち、香料選択装置３３６が所定香料を選択するように調整した後、圧電モータ３３７によって、当該液体香料吸蔵板の所定領域が滴下機構の下に来るように当該香り発生器００８を回転し、ポンプ３２６で前記所定香料を滴下すれば良い。
【０１５５】
５１１−２は液体香料気化促進装置（上部）で、５１１−１と対向し、前記平板形香り発生器００８の上にかぶさるものとする。
液体香料気化促進装置５１１−１、および、５１１−２は、同図のように１／４の領域が機能するものとする。５１１−１には、ヒータ５０５、超音波振動子５０６が設けられ、更に、同領域の下部には空気ポンプ５１２が設けられ、同領域には所定の気圧が掛かるものとする。
【０１５６】
当該所定の気圧がかかると、ヒータ上部からは空気が吹き出る。当該空気は平板形香り発生器００８の１／４領域に選択的に当たる。この気流によって、液体香料吸蔵板１１４の液体香料の気化は促進し、二点鎖線のように香り４００となって、５１１−２の空気穴から吹き出る。
当該香り４００は、フード５１３によって、方向が定められる。
【０１５７】
なお、以上では、液体香料吸蔵板１１４の４分割された領域にそれぞれ異なる液体香料を吸蔵する場合を示したが、当該領域の何れかを絵の具のパレットのようにして、複数の液体香料を調合する領域として利用しても良い。即ち、当該液体香料吸蔵板１１４の何れかの領域に、Ｅ１〜Ｅ４の中から複数の液体香料を選択し、重ねて吸蔵させてもよい。
１１４の所定領域内に複数の液を注入した場合、各々の液は一様に拡散するため、調合は極めて容易である。香料の調合によって、多様な香りを作り出すことができる。
【０１５８】
図２５は、請求項７〜請求項１１に対応する香り発生装置の実施例で、香り付き扇風機への応用を示している。
扇風機の羽根５０２の前に平板形香り発生器００１を４枚組み合せた平板複合形香り発生器００９が取り付けてある。
図２５Ａは当該香り発生装置の正面図、図２５Ｂは側面図である。また、図２５Ｃは扇風機が回転しているときの平板複合形香り発生器を示している。
【０１５９】
各平板香り発生器には、香料供給口が１つ、液体香料吸蔵領域が１つ設けられている。当該香料供給口には、電磁香料弁ＧＬの一端が接続されており、他端は香料溜め３２５に接続されている。当該４つの香料溜めには、異なる液体香料が蓄えられている。
電磁香料弁ＧＬは、電磁石によって弁が開閉し、香料溜め３２５の液体香料を平板香り発生器００１に供給、あるいは、遮断する制御機能を有する。
各平板香り発生器の周辺には、図には示していないが、加熱手段、超音波発生手段、および、これらの間欠駆動制御手段を設けても良い。
【０１６０】
香り発生の原理を説明する。図２５Ａは扇風機が停止している状態を示しており、４つの香料溜めの液体香料３０１は、重力で各々下側に偏在している。
ここで、扇風機の羽根５０２が回転すると、平板複合形香り発生器００９も回転する。このとき、香料溜め３２５の液体香料は、回転軸ＪＫから離れたところにあるため、遠心力が働き、図２５Ｃのように、平板香り発生器００１の方に流れようとする。
ここで、電磁香料弁ＧＬが開いていると、香料は、当該平板香り発生器の液体香料吸蔵板に１滴ずつ供給される。供給量が多すぎる場合には、ＧＬを閉じれば供給は止まる。
当該供給量については、図８に示したようなフォトカプラＡＫ、ＣＨを用いて監視することができる。
羽根が回っているため、当該平板香り発生器の周辺には、気流が生じており、液体香料吸蔵板近傍で気化した香料は当該気流に混入して前方に放出される。
【０１６１】
香りの濃度を変化させるには、液体香料吸蔵板への香料供給量を変化させる、または、平板香り発生器００１を加熱する、または、００１に超音波を当てるなどが可能である。
また、電磁香料弁ＧＬを開く、あるいは、閉じることによって、気流に混入する４種類の香料を制御することができる。従って、香りを調合することができる。同図では、４種類の液体香料を用いる場合を示しているが、１０種類程度の液体香料が使用できるように、平板香り発生器の数を増やすことができる。
【０１６２】
ここで、扇風機の羽根の回転数が高速になり、遠心力が強過ぎるような場合には、図には示していないが、羽根５０２と本平板複合形香り発生器００９の間に、クラッチ機構を設け、回転数を制御しても良い。
【０１６３】
また、扇風機は、風の強さに揺らぎを持たせて、自然の風の感じを再現するものが多い。そこで、香りについても、濃度、種類などに変化を付けることが望ましい。
この手段については、加熱手段、超音波照射手段などの液体香料気化促進手段を間欠的に駆動する、あるいは、電磁香料弁を間欠的に動作して、液体香料の供給量を制御することで可能である。
【０１６４】
図２６は、請求項７〜請求項１１に対応する香り発生装置の他の実施例で、香り玉を放出する気流発生方式と組み合せた装置である。
同図において、５１４は空気玉を発生する気流発生手段で、開口部５１８を備えた筒型容器と、エアーポンプ５１５と、エアーポンプの駆動部５１６とから構成される。
当該空気玉発生部は、煙り玉を放出する玩具等でその基本構造は知られているが、図２６は、当該開口部に本発明の平板形香り発生器００７を取り付けて、香り玉発生装置としたところに特徴がある。
【０１６５】
エアーポンプ駆動部５１６は、バネ駆動、電磁石駆動などを用いることができる。同図は、電磁石駆動式を示している。５１７はエアーポンプ駆動板、５１８は鉄心、５１９はコイルである。コイルに通電すると、エアーポンプ駆動板５１７は筒型容器の内側に引き込まれる。容器内の体積は急激に小さくなるため、空気が塊（玉）となって開口部から放出される。
【０１６６】
当該開口部５１８に平板形香り発生器００７を付けたときの作用は以下の通りである。
本発明の香り発生器は、空気が容易に通過できる構造が一つの特徴である。
カバー板は、空気穴の径を大きくする、空気穴の数を多くすることによって空気の通過を良くすることができる。また、液体香料吸蔵板は、図３、図６、図７、図８で示したような通気孔ＡｉｒＨを多数設けた構造によって、空気通過を容易にすることができる。
【０１６７】
平板形香り発生器００７を空気が容易に通過する構造にすると、気流発生手段５１４の開口部５１８に当該平板形香り発生器を取りつけても、前記空気玉発生機構にはさほど影響はなく、空気玉は、その形を崩さずに前に放出される。
この際、当該空気玉には、前記平板形香り発生器００７から放出される香料分子が混じるため、香り玉４００Ｂとなって前方に放出される。
【０１６８】
因みに、当該空気玉発生手段では、開口部に気流の流れを大きく乱すものがある場合には、空気玉は得られないが、本香り発生器は、気流の流れを大きく乱さない程度に空気を良く通す性質あるため、前記のような香り玉が実現できる特徴がある。
【０１６９】
また、図２６の平板形香り発生器００７は、２種類の液体香料を吸蔵できる場合を示している。液体香料気化促進手段を制御することによって、２種類の液体香料の気化量を調整し、変化のある香り玉を放出することができる。
【０１７０】
液体香料吸蔵領域を更に分割し、多数の香料を組み合せることができるのは当然である。
例えば、６種類の液体香料を用いる場合には、シトラス系のオーデコロンレシピを作成することができる。
即ち、レシピＡとして、レモン、マンダリン、ラベンダー、プチグレン、ゼラニウム、サンダルウッドを使用したものを用いることができる。
また、レシピＢとして、ベルガモット、プチグレン、レモン、ラベンダー、ネロリ、ローズマリーなどを用いることができる。
シトラス系の香りは、性別、年齢を問わずに好まれる香りである。
【０１７１】
種類の少ない香料を用いると、飽きがくることがあるが、６種類程度の香料を用い濃度を変えて調合すると、変化に富んだ年間を通じて飽きのない香り空間を創造することができる。
【０１７２】
図２７は、請求項７〜請求項１１に対応する香り発生装置の他の実施例で、香り玉を放出する気流発生方式と組み合せた装置である。
【０１７３】
同図において、空気玉を発生する気流発生手段５１４の開口部には、本発明の円筒形香り発生器０１０を取り付けて構成される。
当該円筒形香り発生器０１０は、本発明の形状自在性を利用して、液体香料吸蔵板１１５とカバー板２２６、２２７を円筒形にしたものである。
円筒の断面構造を拡大図に示している。１１５は液体香料吸蔵板、２２６はカバー板（内）、２２７はカバー板（外）である。
【０１７４】
図２８は、当該円筒形香り発生器０１０のカバー板（外側）２２７を取り外したところである。液体香料吸蔵板１１５は、左右に２種類の液体香料を吸蔵する。３０２−１、３０２−２は、それぞれ、液体香料供給口である。
５２０は通電手段で、ＢＡは電源、ＧＤは接地、ＳＷはスイッチである。
【０１７５】
液体香料吸蔵板１１５は、同図中に拡大図で示すように、空気の通過を容易にするため、網目間隔を疎と密が交互になるようにした網目線材で構成している。
また、実線は、撥水性材料がコーティングされていない部分、破線は、撥水性材料をコーティングした部分を示している。
網目が密で、撥水性材料がコーティングされていない実線の部分は、液体香料吸蔵孔ＥｓｓＨが多数存在する吸蔵領域として機能し、網目が疎で、撥水性材料がコーティングされている部分は通気孔ＡｉｒＨとして機能する。
同図では、実線の回りに液体香料３０９が吸蔵される様子を示している。
【０１７６】
また、線材の一部に発熱性導電体を用いている。当該発熱性導電体には、ニクロム合金、導電性カーボン等を素材とするものが使用できる。
図２８のように、通電手段５２０を用いて、当該発熱性導電体に通電すると、ジュール熱によって、液体香料吸蔵板１１５は発熱し、液体香料３０９が温められる。
当該発熱性導電体には２．５３〜３．０μｍ、または、５．０〜７．０μｍの遠赤外線を放出する素材を使用すると更に効果的である。
【０１７７】
また、同図には示してないが、超音波振動子を円筒形香り発生器０１０の周囲に配置して、液体香料の気化を促進させても良い。
【０１７８】
気流発生手段５１４と組み合せたとき、香り玉が発生する原理について説明する。図２７において、エアーポンプ５１５を適当な圧力で押すと、円筒形容器から空気の塊が放出される。この様子を二点鎖線で示す。二点鎖線の中で気流Ａは中央部から放出される気流の塊で、高速に進む。
開口部の中央を空気が高速で流れると、その部分の気圧は下がり、周りの空気をまき込もうとする。
この作用によって、円筒周辺の気流は気流Ｂで示すように渦巻きを作る。この渦巻き気流は、気流Ａに比較してゆっくりとした速度で、４００Ｂに示すように、開口部と同じ形状、即ち、同図の場合、円形輪となって前方に放出される。
ここで、当該円筒香り発生器０１０は、前記のように、空気の通過が容易な液体香料吸蔵板１１５、および、カバー板２２６、２２７を用いているため、前記円筒周辺の空気の一部は、同図のように、当該円筒形香り発生器を厚さ方向に通過する。
従って、気流Ｂは液体香料吸蔵板で気化した大量の香料を含むことになり、４００Ｂは香り玉となって前方に放出される。
また、液体香料吸蔵板１１５で気化した香料は、気流Ａにも混入するので、気流Ａも香りの塊となって放出される。
【０１７９】
更に、円筒形香り発生器を加熱するなどの気化促進手段と組み合せて、香り玉を作ると、ユーザに極めてクリアな嗅覚刺激を与えることができる。
【０１８０】
香り玉が飛ぶ距離は、気流発生手段５１４の性能によるが、無風状態（室内）で３〜５ｍ以上飛ばすことができる。また、多少の風がある環境でも気流Ａについては、数ｍ飛ばせることができる。
【０１８１】
なお、以上では、液体香料吸蔵板に発熱性導電体を用いた場合を説明したが、カバー板に発熱性導電体を用いても良い。
また、液体香料に導電性があり、短絡の危険がある場合には、当該導電体を絶縁体で被覆しても良い。
しかし、図２８のように、電圧を印加する２つの電極が離れていること、高電圧は印加しないこと、液体香料吸蔵板に液体香料が付着した状態で、当該吸蔵板の抵抗値が大幅に低下することはないこと、などのために、通常は、被覆しなくでも短絡することはなく、加熱できる。
【０１８２】
また、円筒形の香り発生器を示したが、形状は四角筒形、三角筒形、多角筒形でも良い。
【０１８３】
図２７では、カバー板が外側と内側で２枚、液体香料吸蔵板が多層で一式の場合を示している。
円筒形香り発生器の外側は、人の手が触れやすいので、カバー板（外）は必要であるが、内側は、人の手が触れにくいので、カバー板（内）は、省略することも可能である。このように、本香り発生器では、カバー板は片方のみで構成されることもあり得る。
【０１８４】
図２９は、図２７の開口部および円筒型香り発生器を変形した実施例である。同図において、０１１は円筒型香り発生器である。
図２７と比較した特徴は、気流発生手段５１４から開口部までの筒形状にある。筒の断面が、同図のように、気流発生手段から開口部に掛けてなだらかに狭くなっている。
当該形状の作用は、気流の乱れを押えるため、安定した香り玉を作ることができる。
また、二点鎖線の気流Ｃに示すように、筒の外側を沿うような気流が多く発生するため、気化した香料が当該気流Ｃにとり込まれ易くなる。結果として、香り玉の香料濃度は高くなる。
図３０は、本香り発生装置を用いて、様々な香りを演出するシステム応用例である。同図において、Ｋ１〜Ｋ４は、香り発生器の液体香料吸蔵板を４分割した領域、ＥＳ１〜ＥＳ４は、４種類の液体香料を当該Ｋ１〜Ｋ４に供給する手段、ＡＣ１〜ＡＣ４は、当該Ｋ１〜Ｋ４の液体吸蔵量を検出するためのフォトカプラである。
また、Ｈ１〜Ｈ４は、Ｋ１〜Ｋ４を各々加熱するための手段、Ｕ１〜Ｕ４は、Ｋ１〜Ｋ４に各々超音波を照射するための手段、Ｗ１〜Ｗ４は、Ｋ１〜Ｋ４に各々気流を通すための手段である。
【０１８５】
ＣＰＵは香りの濃度を制御し、また、液体香料の組み合せを制御するためのマイコンである。Ｄａｔａは、香りのイメージに相当する香料の組み合わせを選択するための、言語から香料へメディア変換するためのデータベースである。
例えば、海の香りをイメージする場合は、ローズマリー、ベルガモットを調合する。山の香りをイメージする場合には、オークモス、パイン、ヒノキ、アトラスシダー、シダーウッドを調合すると良い。
以上は、天然香料を例に挙げたが、合成香料を組み合せて調合すると更に、複雑で洗練された香りになるのは当然である。
【０１８６】
ＣＰＵは、ヒータＨ、超音波発生器Ｕ、気流発生器Ｗの駆動を制御して、液体香料吸蔵板Ｋ１〜Ｋ４から放出される香料を調合する。この際、Ｄａｔａ内の知識に基づき調合すると、イメージ言語に適合する香りを発生させることができる。つまり、言葉をヒントに当該言葉に相応しい香りを創生できるシステムを構成しており、メッセージ・フレグランスと言うコンセプトを実現する手段である。
【０１８７】
ＵＳＢは、コンピュータの外部インタフェース端子、ＴＵＫＩは信号分流器、ＹＫは微少電流蓄積電源である。
当該電源は、破線のように、ヒータＨ、超音波発生器Ｕ、気流発生器Ｗ、フォトカプラＡＣ、液体香料供給手段ＥＳに供給されている。
ＣＰＵが動作のための制御信号を当該装置に送ると、当該装置は動作し、液体香料の供給や液体香料の気化促進を行う。
【０１８８】
制御方法について、更に詳細に説明する。
ＥからＥＳへの矢印は液体香料の流れを示す。
ＥＳからＫへの矢印は液体香料の供給量を制御する様子を示す。線が太いほど液量が多いことを示す。
ＫからＡＣへの矢印は、液体香料吸蔵板の液体香料の量を検出するためのフォトカプラの信号を示す。
ＡＣからＣＰＵへの矢印は、当該信号の伝送を示す。ＣＰＵは当該信号を処理し、ＥＳに液体香料をどの程度供給するのかの指令を矢印のように送る。
Ｈ、Ｕ、ＷからＫへの矢印は気化促進手段のエネルギーの流れを示し、線の太さはその強さを相対的に示す。
当該エネルギーの選択に関しては、ＣＰＵからの制御信号に基づいて行われる。ＣＰＵはＤａｔａを参照して、適切なエネルギーをＫに送るようＨ、Ｕ、Ｗに指令する。
【０１８９】
同図では、液体香料吸蔵板のＫ１領域は、ＥＳ１によって液体香料Ｅ１が多量に供給されており、フォトカプラＡＣ１がその量を検出している。
ヒータＨ１からは多量の熱照射を受け、超音波発生器Ｕ１からは少しの超音波を受けている。また、気流発生器Ｗからは中程度の気流が当てられている。
【０１９０】
同様に、液体香料吸蔵板のＫ３領域は、香料Ｅ２が中程度、Ｅ３とＥ４の香料が少しずつ供給されており、フォトカプラＡＣ３がその量を検出している。ヒータＨ１からは中程度の熱照射を受け、超音波発生器Ｕ１からは中程度の超音波を受けている。また、気流発生器Ｗからは中程度の気流が当てられている。
【０１９１】
どのような香料をどの程度液体香料吸蔵板に供給し、気化をどの程度促進するかについては、前記メッセージと香料との関係（レシピ）を記憶してあるＤａｔａを参照して、ＣＰＵが決定する。
【発明の効果】
【０１９２】
請求項１〜請求項５に記載の香り発生器によれば、
（１）  多くの液体香料を薄い板状の液体香料吸蔵板に吸蔵するとともに、空気の通過を容易にしているため、当該液体香料は気化しやすく、効率良く香りを発生する。
（２）  また、網目間隔を工夫するとともに、カバー板の空気穴形状を特殊な構造にし、更に、撥水性材料のコーティングを施しているため、液体香料は液体香料吸蔵板の中に留まり易い。従って、当該液体香料は、過蓄積されない限り、容易に外に漏れることはなく、通常の扱いでは極めて安全である。相当激しく振っても液体香料が当該香り発生器の外側に漏れることは少ない。
（３）  また、液体香料吸蔵板の通気孔に撥水性材料をコーティングした場合には、所定の場所に通気孔を確実に確保すると共に、当該通気孔の回りに液体香料を吸蔵させることができるため、液体香料が空気と触れる面積が極めて広くなり、香り発生効率は更に良い。特に、気流を当てて香りを取り出す芳香装置には最適である。
（４）  皮膚がカバー板に触れても、空気穴を付き抜けて皮膚が吸蔵板に触れることはないため、通常の取り扱いで、液体香料が手について汚れることはない。同様に衣類が本香り発生器に触れても、液体香料が漏れて衣類を汚すことはない。従って、アレルギー疾患などにより、皮膚や衣類に直接液体香料を付けることができないが、香りを楽しみたいと言うユーザに、本香り発生器は最適である。
（５）  薄い板状をしているため、曲げに対する柔軟性が高い、また、折るなどの形状の変形が可能である。従って、様々な芳香装置に応用することができる。また、衣類の中に組み込んで使用することもできる。
（６）  液体香料吸蔵板の領域を複数に分割し、当該領域に異なる液体香料を吸蔵させる、または、パレット領域を設け、複数の香料を当該領域で調合することもできる。これらによって、変化に富んだ様々な香りを当該香り発生器で作ることができる。
（７）  当該香り発生器の内部（液体香料吸蔵板など）が汚れた場合には、ある程度の水圧をカバー板の空気穴に加えると、水がカバー板および液体香料吸蔵板を通過するので、洗浄は容易である。煮沸や超音波洗浄機にかけることも当然可能である。
以上のように、板状の液体香料吸蔵板と、カバー板と、液体香料供給手段で構成される本香り発生器は、小型、薄型で、形状自在性が高く、香り発生効率が高く、香りの調合が可能で、安全で、衛生的で、メンテナンスも容易な特徴を有する。
【０１９３】
請求項６に記載の香り発生器によれば、
（８）  液体香料供給手段を香料カプセル式にして、液体香料吸蔵板近傍に収納する構造とし、使用する際に、当該香料カプセルを破裂させて液体香料を供給するため、極めて、小型、薄型で部品点数の少なく、従って、軽く、携帯性が良く、安価な芳香器が構成できる。
（９）  また、本香り発生器は、特別なケースに入れることなく、それ自体で芳香器として利用できる。カバー板や液体香料吸蔵板に金やプラチナなどの貴金属を使用すると高級感のある装飾品となる。例えば、香り発生機能付きペンダント、ブレスレット、ブローチなどへの応用が可能である。この場合、香りは必要な時にカプセルを割って発生させるため、出先において新鮮で美しい香りを楽しむことができる。
（１０）  その他、洋服や下着など衣類の中に組み込む、名刺入れに入れる、クローゼットの衣装ケース、筆箱などの中に入れる等によって、香りを楽しむ芳香器としての応用が考えられる。香料カプセルを取り替えることによって、香り発生器を繰り返し使用することもできる、また、香料カプセルを使い終わった後で、香り発生器を使い捨てにすることもできる。更に、香り文房具入れ、スリッパ、玄関マット、靴の下敷きなどにも最適である。日常の生活香りグッズをトータルにコーディネートできる。
【０１９４】
請求項７に記載の香り発生装置によれば、
（１１）  液体香料供給手段は、香り発生器に設けられた液量監視センサと液量の供給を制御する手段で構成されるため、過量の液体香料が吸蔵されることはなく、より完璧な液漏れ防止が可能で、安全である。
（１２）  液量の供給を制御する手段に、自動ポンプとマイコンを使用すると、液体香料吸蔵板への液体香料の補充を自動化できるため、メンテナンスフリーの芳香器を構成することができる。
【０１９５】
請求項８、請求項９に記載の香り発生装置によれば、
（１３）  熱、遠赤外線、超音波などを液体香料吸蔵板、カバー板に照射し、液体香料の気化を促進するので、香り発生効率を極めて高くできる。また、当該気化量を制御することで、香りの濃度を変えることもできる。
（１４）  香り発生器の領域を分割し、当該分割された領域に液体香料気化促進手段を選択的に作用させることができるため、香りを調合することができる。
（１５）  マイコン制御を組み合せることによって、様々な種類の香りを様々な濃度で発生させることができる。
【０１９６】
請求項１０に記載の香り発生装置によれば、
（１６）  当該香り発生器に気流を通過させるため、液体香料吸蔵板の液体香料気化効率は極めて高く、高い濃度の香りを発生させることができる。
（１７）  また、当該香りを所定の方向に導くことも容易である。
（１８）  更に、空気玉発生装置と組み合せることで、任意の空間に選択的に濃い香りのガス玉を送ることができる。
（１９）  香り発生器に気流を通過させて濃い香りを発生させる装置の応用として、香りが出る照明装置、ヘアードライアー、エアコン、扇風機などへの適用が可能である。また、加湿器の水蒸気の出る部分に本香り発生器を取りつけ、香り発生装置とし、液体香料として、ユーカリ、ペパーミントを用いると、花粉症の人には、香りを利用して生理的な辛い症状の緩和が期待できる。
【０１９７】
請求項１１の香り発生装置によれば、
（２０）  人の嗅覚飽和特性を踏まえて、液体香料気化促進手段を間欠駆動するので、人に優しく飽きることのない香り発生装置が実現できる。
（２１）  間欠駆動なので、消費電力は極めて少なく、ＵＳＢ端子から得られる電力を利用して、液体香料気化促進手段を動作させることができる。
（２２）  従って、液体香料気化促進手段用の商用電源線が省略でき、設置上取り扱いやすい。
【図面の簡単な説明】
【０１９８】
【図１】請求項１、２、４、５に対応する香り発生器の実施例で、断面概観図である。
【図２】当該実施例の構成要素である網状線材の液体香料吸蔵板である。
【図３】当該実施例の構成要素である網状線材の液体香料吸蔵板に通気孔を作るため撥水性材料を塗布した図である。
【図４】当該実施例の構成要素であるカバー板の拡大図である。
【図５】カバー板の空気穴近傍に撥水性材料をコーティングした場合の作用説明図である。
【０１９９】
【図６】請求項２に対応する香り発生器の実施例である。図６Ａは断面図、図６Ｂは網目に密の領域と疎の領域を設けた網状線材の液体香料吸蔵板、図６Ｃは断面拡大図である。
【０２００】
【図７】請求項２に対応する香り発生器の構成要素である液体香料吸蔵板の実施例である。
【０２０１】
【図８】請求項２に対応する多孔質素材の液体香料吸蔵板を用いた香り発生器の実施例である。
【図９】当該多孔質素材で構成された液体香料吸蔵板の上面図である。
【０２０２】
【図１０】請求項５に対応する香り発生器で、カバー板の空気穴に形状的特徴がある。
【０２０３】
【図１１】請求項５に対応するカバー板の空気穴に特徴がある香り発生器の他の実施例である。
【０２０４】
【図１２】請求項５に対応するカバー板の空気穴に特徴がある香り発生器の他の実施例である。
【０２０５】
【図１３】請求項６に対応する香り発生器の実施例で、カプセル破裂式香料供給手段を液体香料吸蔵板近傍に埋め込む構成を示している。
【図１４】当該液体香料吸蔵板を４分割し、各々に香料カプセルを埋め込んだ構成図である。
【０２０６】
【図１５】請求項６に対応する香り発生器の他の実施例で、ペンダントへの応用を示している。
【０２０７】
【図１６】請求項６に対応する香り発生器の他の実施例で、ブレスレットへの応用を示している。
【０２０８】
【図１７】請求項１、２、４、５に対応する香り発生器の他の実施例で、傘形の液体香料吸蔵板およびカバー板と、ロープ式香料供給手段とを組み合わせた構成を示している。
【０２０９】
【図１８】請求項１、２、４、５に対応する香り発生器の他の実施例で、ペンダントへの応用を示している。
【０２１０】
【図１９】請求項１、２、４、５に対応する香り発生器の他の実施例で、ペンダントへの応用を示している。
【０２１１】
【図２０】請求項１、２、４、５、１０に対応する香り発生器の他の実施例で、腕時計への組み込み応用を示している。
【０２１２】
【図２１】請求項７〜請求項１１に対応する香り発生装置の実施例で、卓上形芳香装置への応用例である。ポンプによる液体香料供給手段、液体香料気化促進手段などを示している。
【図２２】当該卓上形芳香装置の断面図である。
【図２３】当該卓上形芳香装置の液体香料を供給するポンプの拡大断面図である。
【０２１３】
【図２４】請求項７〜請求項１１に対応する香り発生装置の他の実施例である。液体香料吸蔵板に４種類の液体香料を供給して、様々な香りを発生させる構成を示している。
【０２１４】
【図２５】請求項７〜請求項１１に対応する他の実施例で、香り発生扇風機への応用例である。図２２Ａは正面図、図２２Ｂは側面図、図２２Ｃは扇風機回転時の様子を示している。
【０２１５】
【図２６】請求項７〜請求項１１に対応する香り発生装置の実施例で、気流発生手段として空気玉放出装置を用い、当該装置の開口部に平板形香り発生器を取り付けた構成である。
【０２１６】
【図２７】請求項７〜請求項１１に対応する香り発生装置の他の実施例で、気流発生手段として空気玉放出装置を用い、円筒形香り発生器と組み合せ、香り玉を発生させる構成である。
【図２８】当該円筒形香り発生器の構造図で、液体香料吸蔵板には、発熱性網状線材を用いている。
【０２１７】
【図２９】請求項７〜請求項１１に対応する香り発生装置の他の実施例で、気流発生手段として空気玉放出装置を用い、円筒形香り発生器と組み合せ、香り玉を発生させる構成である。
【０２１８】
【図３０】請求項７〜請求項１１に対応する香り発生装置の制御システム図である。液体香料吸蔵板への香料供給制御、液体香料気化促進手段の制御について示している。
【０２１９】
【符号の説明】
００１、００２、００７、００８・・・平板形香り発生器
００３・・・・・・・香料カプセル式香り発生器
００４・・・・・・・ペンダント形香り発生器
００５・・・・・・・ブレスレット形香り発生器
００６・・・・・・・傘形香り発生器
００９・・・・・・・平板複合型香り発生器
０１０、０１１・・・円筒形香り発生器
０１２、０１３・・・ペンダント式香り発生器
０１４・・・・・・・腕時計内蔵平板形香り発生器
１００、１０８、１１０、１１１、１１２、１１３、１１４、１１５、１１６、１１７、１１８・・・・・・・液体香料吸蔵板
１０９・・・・・・・液体香料仕切り部
１０１、１０２、１０３、１０４・・・網状線材の液体香料吸蔵板
１０７・・・・・・・多孔質素材の液体香料吸蔵板
２００、２０１、２０５、２０６、２０７、２０９、２１１、２１４、
２１５、２１６、２１９、２２０、２２１、２２２、２２３、２２６、２２７、２２８、２２９、２３０・・・カバー板
２０２、２０８、２１０、２１７・・・空気穴
３００・・・・・・・液体香料供給手段
３０１、３０９・・・液体香料
３０２、３２２・・・香料供給口
３０３・・・・・・・蓋
３１２、３１８・・・香料カプセル
３２６・・・・・・・液体ポンプ
４００・・・・・・・香り
４００Ｂ・・・・・・香り玉
５００・・・・・・・熱源
５０１・・・・・・・気流発生手段
５０２・・・・・・・羽根
５０５・・・・・・・ヒータ
５０６・・・・・・・超音波振動子
５０９・・・・・・・制御回路
５１２・・・・・・・空気ポンプ
５１４・・・・・・・気流発生手段
５１５・・・・・・・エアーポンプ
ＡｉｒＨ・・・・・・通気孔
ＥｓｓＨ・・・・・・吸蔵孔
ＲＣ・・・・・・・・撥水性材料
ＡＫ・・・・・・・・発光手段
ＣＨ・・・・・・・・受光手段
ＧＬ・・・・・・・・電磁式香料弁
ＳＴＰ・・・・・・・香料止め機構
＝＝＝＝＝＝＝＝＝＝＝＝＝＝＝＝＝＝＝＝＝＝＝＝＝＝＝＝＝＝＝＝＝
【図１】
2004159875.tif 000003
【図２】
2004159875.tif 000004
【図３】
2004159875.tif 000005
【図４】
2004159875.tif 000006
【図５】
2004159875.tif 000007
【図６】
2004159875.tif 000008
【図７】
2004159875.tif 000009
【図８】
2004159875.tif 000010
【図９】
2004159875.tif 000011
【図１０】
2004159875.tif 000012
【図１１】
2004159875.tif 000013
【図１２】
2004159875.tif 000014
【図１３】
2004159875.tif 000015
【図１４】
2004159875.tif 000016
【図１５】
2004159875.tif 000017
【図１６】
2004159875.tif 000018
【図１７】
2004159875.tif 000019
【図１８】
2004159875.tif 000020
【図１９】
2004159875.tif 000021
【図２０】
2004159875.tif 000022
【図２１】
2004159875.tif 000023
【図２２】
2004159875.tif 000024
【図２３】
2004159875.tif 000025
【図２４】
2004159875.tif 000026
【図２５】
2004159875.tif 000027
【図２６】
2004159875.tif 000028
【図２７】
2004159875.tif 000029
【図２８】
2004159875.tif 000030
【図２９】
2004159875.tif 000031
【図３０】
2004159875.tif 000032